(57)【要約】【課題】  放送番組のＣＭ区間を効率的に利用できる放送受信再生装置を提供すること。【解決手段】  ユーザが主に視聴する主視聴チャンネルの放送信号を取得する第１映像音声信号処理手段１４と、主視聴チャンネルの放送のＣＭ区間中に一時的にユーザが視聴する裏チャンネルの放送信号を取得する第２映像音声信号処理手段１５と、主視聴チャンネルの放送信号からＣＭ区間を検出する第１ＣＭ検出手段１９と、第１ＣＭ検出手段１９によりＣＭ区間が検出されると、主視聴チャンネルから裏チャンネルに切り替えて出力する信号切替手段１６と、チャンネル切替タイミング管理手段２０で生成されたチャンネル切替要求により所定時間毎に裏チャンネルを切り替える指示を送出するチャンネル制御手段２０２とを有する。【選択図】  図１
2008103920.tif 000002
【特許請求の範囲】
【請求項１】
本編部とＣＭ部とからなる放送番組を放送局から受信して再生する放送受信再生装置であって、
再生中の前記放送番組から前記ＣＭ部の区間を検出するＣＭ部区間検出手段と、
前記ＣＭ部区間検出手段によって検出された前記ＣＭ部の区間の間、前記再生中の放送番組とは別の番組を受信して裏番組として再生する裏番組受信再生手段と、
を有する放送受信再生装置。
【請求項２】
所定時間ごと、または、前記再生する放送番組のチャンネルごとに、前記ＣＭ部の区間の間に再生する裏チャンネルが指定された裏チャンネル指定情報が予め記憶された裏チャンネル指定管理手段を有し、
前記裏番組受信再生手段は、前記裏チャンネル指定管理手段に記憶された裏チャンネル指定情報に従って、前記再生中の放送番組とは別の番組を受信して再生する
ことを特徴とする請求項１に記載の放送受信再生装置。
【請求項３】
所定時間ごと、または、前記再生する放送番組のチャンネルごとに、前記ＣＭ部の区間の間に再生する裏チャンネルのジャンルが指定された裏チャンネル指定情報が予め記憶された裏チャンネル指定管理手段を有し、
前記裏番組受信再生手段は、前記裏チャンネル指定管理手段に記憶された裏チャンネル指定情報で指定されたジャンルの放送番組を受信して再生する
ことを特徴とする請求項１に記載の放送受信再生装置。
【請求項４】
前記裏番組受信再生手段は、再生しようとする前記再生中の放送番組とは別の番組がＣＭ部の区間に該当するときは、前記本編部を再生中のさらに別の番組を受信して再生する
ことを特徴とする請求項１〜３いずれか１項に記載の放送受信再生装置。
【請求項５】
放送局から受信した、本編部とＣＭ部とからなる放送番組、または、蓄積したコンテンツデータを再生する放送受信再生装置であって、
複数の前記コンテンツデータを蓄積するデータ蓄積手段と、
再生中の前記放送番組から前記ＣＭ部の区間を検出するＣＭ部区間検出手段と、
前記ＣＭ部区間検出手段によって検出された前記ＣＭ部の区間の間、前記データ蓄積手段に蓄積したコンテンツデータを再生するコンテンツデータ再生手段と、
を有する放送受信再生装置。
【請求項６】
前記コンテンツデータは画像データであり、
前記データ蓄積手段に記録されている前記画像データの解析を行う画像解析手段と、
前記画像解析手段による前記画像データの解析結果により、前記再生するコンテンツデータ再生手段において再生させないと判断した画像データを抽出して前記ＣＭ部の区間に再生するコンテンツデータから削除するとともに、前記再生するコンテンツデータ再生手段において同時に再生すると判断した複数の画像データを前記ＣＭ部の区間に再生するときに一画面上に表示させるように再成形処理を行うデータ再整形手段と
を有することを特徴とする請求項５に記載の放送受信再生装置。
【請求項７】
前記コンテンツデータは動画データであり、
放送番組ごとに、前記ＣＭ部の区間の間に再生する動画データが指定された置換データ指定情報が予め記憶されている置換データ指定手段と、
前記データ蓄積手段に蓄積された動画データごとに、次回の前記ＣＭ部の区間の間に再生するときの再生開始位置を記憶する再生位置管理手段と、
を有し、
前記コンテンツデータ再生手段は、前記置換データ指定手段に記憶された置換データ指定情報に基づいて前記データ蓄積手段から前記再生中の放送番組に対応する画像データを取得し、前記再生位置管理手段に記憶している当該画像データの再生開始位置から再生する
ことを特徴とする請求項５に記載の放送受信再生装置。
【請求項８】
前記ＣＭ部区間検出手段においてＣＭ部の区間終了時およびその前後の所定範囲の前記動画データ中の音声データを取得して音声データレベルを解析する音声データ解析手段と、
音声データ解析手段の音声データレベルが、予め設定された閾値を超えるときは前記音声データレベルが前記閾値を超えないところまで戻った前記動画データの位置を次回の再生開始位置とし、前記音声データレベルが前記閾値を超えないときは、前記ＣＭ部の区間終了時の前記動画データ位置を次回の再生開始位置として前記再生位置管理手段に送出する次回再生開始位置調整手段とを有する
ことを特徴とする請求項７に記載の放送受信再生装置。
【請求項９】
前記置換データ指定手段は、前記放送番組のジャンルごとに前記置換データ指定情報を記憶し、
前記コンテンツデータ再生手段は、前記置換データ指定手段に記憶された置換データ指定情報に基づいて前記データ蓄積手段から前記再生中の放送番組のジャンルに対応する画像データを取得し、前記再生位置管理手段に記憶している当該画像データの再生開始位置から再生する
ことを特徴とする請求項７または８に記載の放送受信再生装置。
【発明の詳細な説明】
【技術分野】
【０００１】
本発明は、放送局からの放送信号を受信して再生する放送受信再生装置に関する。
【背景技術】
【０００２】
従来、テレビジョン放送番組などの映像コンテンツを記録および再生する記録再生装置としてビデオテープを用いたビデオテープレコーダ（ＶＴＲ）が知られていたが、近年はハードディスク、光ディスク、または半導体メモリなどの大容量記録媒体を用いたハードディスクレコーダ（ＨＤＤレコーダ）やＤＶＤレコーダなどの記録再生装置が広く普及している。
【０００３】
これらのハードディスク、光ディスク、または半導体メモリなどの記録媒体を用いた記録再生装置では、ランダムアクセスが可能であることを利用して、ＣＭ部分をとばして録画するＣＭスキップ録画またはＣＭ部分をとばして再生するＣＭスキップ再生を行う機能を有するものがある。
【０００４】
このＣＭスキップ録画またはＣＭスキップ再生の機能を利用することにより、視聴者はＣＭ部分の再生時間を有効に利用することができる。
【０００５】
しかし、このＣＭスキップ録画またはＣＭスキップ再生は、記録媒体に映像コンテンツを記録する場合、または記録された映像コンテンツを再生する場合に利用可能な機能であり、放送局から受信した映像コンテンツをリアルタイムで視聴する場合には利用できない。
【０００６】
放送局から受信した映像コンテンツをリアルタイムで視聴する場合には、視聴者は視聴している番組のＣＭ放送中に受信チャンネルを他の放送チャンネルに変更するかまたは、２画面対応テレビ受信器を用いることにより、他の放送チャンネルの放送内容を確認することができ、ＣＭの放送時間を有効に活用することができる。
【０００７】
さらに効率的に、放送番組のＣＭ放送中に他のチャンネルの放送内容を確認するための技術として、特許文献１〜３に記載の技術がある。
【０００８】
特許文献１には、テレビ受信機で受信している主視聴チャンネルの第１の映像信号におけるＣＭ放送期間に、記憶しておいた裏チャンネルの第２の映像信号の番組信号を時分割多重により挿入する技術が記載されている。
【０００９】
この技術を利用することにより、主視聴チャンネルのＣＭ放送時間と裏チャンネルのＣＭ放送時間とが重なっても、主視聴チャンネルのＣＭ放送中に裏チャンネルの番組を視聴することができるとともに、また主視聴チャンネルの番組のＣＭ放送が終了したときには裏チャンネルの番組から主視聴チャンネルの番組に切り替わるため、本来視聴していた主視聴チャンネルの番組を見損なうことがないという利点がある。
【００１０】
また、特許文献２には、テレビ受信機における放送番組の受信中にＣＭ区間を検出し、検出されたＣＭ区間は、写真画像またはビデオカメラで撮影した映像などのコンテンツを再生する電子アルバム装置に切り替えてこれらのコンテンツを出力させる再生装置が記載されている。
【００１１】
この再生装置を利用することにより、放送番組のＣＭ区間を有効利用することができ、電子アルバムの利用を活発にする機能をユーザに提供することができる。
【００１２】
また、特許文献３には、テレビ受信機における放送番組の受信中にＣＭ区間を検出し、検出されたＣＭ区間は、ＥＰＧ等の付加情報を表示させるテジタル放送受信装置が記載されている。
【００１３】
このデジタル放送受信装置を利用することにより、放送番組の主映像を妨げることなく、ＥＰＧ等の付加情報を表示させることができる。
【特許文献１】特開２００４−１８７２３８号公報
【特許文献２】特開２０００−３５０１３１号公報
【特許文献３】特開２００１−４５３９６号公報
【発明の開示】
【発明が解決しようとする課題】
【００１４】
しかし、特許文献１の技術は、ユーザが既に他局で放送されている番組を認識した上で気になるチャンネルの番組を主視聴チャンネルの番組のＣＭ放送中に確認するときには有効であるが、ただ単に主視聴チャンネル以外のチャンネルの番組の中で何か面白そうなものがあるかどうかを探索するときには、探索したいチャンネル数分の処理ブロックを必要とするなど効率的な機能実現が難しいという問題があった。
【００１５】
特に近年はチャンネル数が多くなってきており、如何にして効率的に特許文献１の機能を実現するかが課題となっていた。
【００１６】
また、特許文献２の技術を利用すると、ＣＭ区間を検出するたびに自動的に電子アルバム装置に切り替えられ、家族など複数の視聴者でテレビ受信機を利用する場合には各々の視聴者の要望に対応することができないという問題あった。
【００１７】
つまり、一人は常にＣＭ区間は電子アルバム装置に切り替えて記録されたコンテンツを表示させたいと考え、別の人は一部の番組以外では電子アルバム装置へは切り替えず、ＣＭも貴重な情報源として視聴したいと考えているような場合には、各人が電子アルバム装置への切り替え機能をその都度管理しなくてはならないという問題があった。
【００１８】
また、特許文献３の技術はＣＭ区間を有効利用する手段の１つであるが、一般的にＣＭ区間はせいぜい１回に４０〜５０秒で１時間に４、５回であり、ＥＰＧなどの文字データを表示するには時間が短く、ユーザに情報を提供するには無理が生じる場合があるという問題があった。
【００１９】
さらに、特許文献３の技術ではユーザはＥＰＧ情報を見るためにわざわざＣＭ区間になるまで待っていなければならないが、ＥＰＧ情報などはユーザが思い立ったときに見たいケースが多く、結局は放送番組の視聴中にＥＰＧ情報を表示させる方法で利用してしまい、特許文献３の技術の利点が生かされないという問題があった。
【００２０】
よって本発明の目的は、視聴している主視聴チャンネル以外の複数の裏チャンネルの放送または記録されたコンテンツをＣＭ区間に表示することにより、放送番組のＣＭ区間を効率的に利用する放送受信再生装置を提供することである。
【００２１】
また、本発明の他の目的は、特定の時間帯や特定のチャンネルの視聴時にのみＣＭ区間に複数の裏チャンネルの放送またはユーザの所望のコンテンツを再生することにより、放送番組のＣＭ区間をユーザの好みに対応して効率的に利用する放送受信再生装置を提供することである。
【課題を解決するための手段】
【００２２】
上記目的を達成するために、本発明の放送受信再生装置（１）は、本編部とＣＭ部とからなる放送番組を放送局から受信して再生し、再生中の前記放送番組から前記ＣＭ部の区間を検出するＣＭ部区間検出手段（１９）と、前記ＣＭ部区間検出手段によって検出された前記ＣＭ部の区間の間、前記再生中の放送番組とは別の番組を受信して裏番組として再生する裏番組受信再生手段（１５、１６、１７）とを有することを特徴とする。
【００２３】
また、本発明の放送受信再生装置（５）は、放送局から受信した、本編部とＣＭ部とからなる放送番組、または、蓄積したコンテンツデータを再生する放送受信再生装置（５）であって、複数の前記コンテンツデータを蓄積するデータ蓄積手段（２３）と、再生中の前記放送番組から前記ＣＭ部の区間を検出するＣＭ部区間検出手段（１９）と、前記ＣＭ部区間検出手段によって検出された前記ＣＭ部の区間の間、前記データ蓄積手段（２３）に蓄積したコンテンツデータを再生するコンテンツデータ再生手段（２４、１６、１７）とを特徴とする。
【発明の効果】
【００２４】
本発明の放送受信再生装置によれば、視聴しているチャンネル以外の複数のチャンネルの放送をＣＭ区間に表示させることにより、放送番組のＣＭ区間を効率的に利用することができる。
【００２５】
また、特定の時間帯や特定のチャンネルの視聴時にのみＣＭ区間にユーザの所望のコンテンツを再生することにより、放送番組のＣＭ区間を複数のユーザの好みに対応して効率的に利用することができる。
【発明を実施するための最良の形態】
【００２６】
《第１実施形態》
本発明の第１実施形態では、ユーザが視聴している主視聴チャンネルのＣＭ区間に、複数の裏チャンネルを順次出力する放送受信再生装置について説明する。
【００２７】
〈第１実施形態による放送受信再生装置１の構成〉
本発明の第１実施形態による放送受信再生装置１の構成を、図１を参照して説明する。
【００２８】
本実施形態による放送受信再生装置１は、放送受信部としてのアンテナ１１と、第１放送選局手段１２と、第２放送選局手段１３と、第１映像音声信号処理手段１４と、第２映像音声信号処理手段１５と、信号切替手段１６と、出力手段１７と、ユーザ制御手段１８と、第１ＣＭ検出手段１９と、制御手段２０と、表示手段２１とを有する。なお、本実施形態では、第２映像音声信号処理手段１５と、信号切替手段１６と、出力手段１７とが本発明の裏番組受信再生手段に相当している。
【００２９】
アンテナ１１は、放送局から送信される放送電波を受信する。
【００３０】
第１放送選局手段１２は、チューナーであり、後述するチャンネル制御手段２０２から取得したチャンネル切替要求に従って、アンテナ１１において受信された放送電波からユーザが主に視聴する主視聴チャンネルを選局する。
【００３１】
第２放送選局手段１３は、チューナーであり、後述するチャンネル制御手段２０２から取得したチャンネル切替要求に従って、アンテナ１１において受信された放送電波から、主視聴チャンネルの放送のＣＭ区間中に一時的にユーザが視聴する裏チャンネルを選局する。
【００３２】
第１映像音声信号処理手段１４は、第１放送選局手段１２で選局された主視聴チャンネルの圧縮された放送信号を放送電波から取得し、再生するために伸張して第１再生信号を生成する処理を行う。
【００３３】
第２映像音声信号処理手段１５は、第２放送選局手段１３で選局された裏チャンネルの圧縮された放送信号を放送電波から取得し、再生するために伸張して第２再生信号を生成する処理を行う。
【００３４】
信号切替手段１６は、第１映像音声信号処理手段１４で生成された第１再生信号と、第２映像音声信号処理手段１５で生成された第２再生信号とのうち、表示装置に出力する再生信号を後述するチャンネル制御手段２０２の指示により選択して切り替える。
【００３５】
出力手段１７は、信号切替手段１６で選択された第１再生信号または第２再生信号を、外部の表示手段で表示させる表示信号に変換する。
【００３６】
ユーザ制御手段１８は、ユーザによってリモコンなどから操作され、ユーザにより主視聴チャンネルを切り替える操作が行われると主視聴チャンネル切替要求を生成して後述するチャンネル制御手段２０２に送出する。
【００３７】
第１ＣＭ検出手段１９は、第１放送選局手段１２で受信され第１映像音声信号処理手段１４で生成された第１再生信号から、ＣＭ区間の開始時であるＣＭ開始時およびＣＭ区間の終了時であるＣＭ終了時を検出して後述するチャンネル切替タイミング管理手段２０１およびチャンネル制御手段２０２に送出する。
【００３８】
制御手段２０は、チャンネル切替タイミング管理手段２０１とチャンネル制御手段２０２とを有する。
【００３９】
チャンネル切替タイミング管理手段２０１は、予め設定された裏チャンネルの１チャンネルあたりの再生時間である裏チャンネル再生時間を記憶し、第１ＣＭ検出手段１９で検出されたＣＭ開始時を取得すると、この裏チャンネル再生時間経過毎に裏チャンネル切替要求を生成して後述するチャンネル制御手段２０２に送出する処理を開始する。
【００４０】
また、チャンネル切替タイミング管理手段２０１は、第１ＣＭ検出手段１９からＣＭ終了時を取得すると、裏チャンネル切替要求を生成する処理および送出する処理を停止する。
【００４１】
チャンネル制御手段２０２は、第１ＣＭ検出手段１９でＣＭ開始時が検出されたときに信号切替手段１６で選択される再生信号を第１再生信号から第２再生信号に切り替えるための信号切替要求を生成し、第１ＣＭ検出手段１９でＣＭ終了時が検出されたときに信号切替手段１６で選択される再生信号を第２再生信号から第１再生信号に切り替えるための信号切替要求を生成して信号切替手段１６に送出する。
【００４２】
また、チャンネル制御手段２０２は、ユーザ制御手段１８から主視聴チャンネル切替要求を取得したときに、第１放送選局手段１２に送出する。
【００４３】
また、チャンネル制御手段２０２は、チャンネル切替タイミング管理手段２０１から裏チャンネル切替要求を取得したときに、第２放送選局手段１３に送出する。
【００４４】
表示手段２１は、チャンネル制御手段２０２で取得した信号切替要求、主チャンネル切替要求、および裏チャンネル切替要求に基づいて、放送受信再生装置１の動作状態やユーザの操作内容を表示する。
【００４５】
〈第１実施形態による放送受信再生装置１の動作〉
本実施形態による放送受信再生装置１の動作について、図２のフローチャートおよび図３の説明図を参照して説明する。
【００４６】
まず、ユーザの操作により放送受信再生装置１の電源が投入されると（Ｓ１）、アンテナ１１において放送局から送信される放送電波が受信され、第１放送選局手段１２および第２放送選局手段１３においてデフォルトで設定されているチャンネルが選局される。
【００４７】
第１放送選局手段１２においてデフォルトで設定されているチャンネルが選局されると、第１映像音声信号処理手段１４においてこの選局されたチャンネルの圧縮された放送信号が放送電波から取得される。
【００４８】
さらに、第１映像音声信号処理手段１４において取得された圧縮された放送信号が伸張され、第１再生信号が生成される（Ｓ２）。
【００４９】
また、第２放送選局手段１３においてデフォルトで設定されているチャンネルが選局されると、第２映像音声信号処理手段１５においてこの選局されたチャンネルの圧縮された放送信号が放送電波から取得される。
【００５０】
さらに、第２映像音声信号処理手段１５において取得された圧縮された放送信号が伸張され、第２再生信号が生成される（Ｓ２）。
【００５１】
次に、信号切替手段１６において、第１映像音声信号処理手段１４で生成された第１再生信号と第２映像音声信号処理手段１５で生成された第２再生信号とのうち、デフォルトで設定されている第１再生信号が選択され、出力手段１７に送出される。
【００５２】
出力手段１７において取得された第１再生信号は、表示させるための表示信号に変換され、外部の表示装置に送信される（Ｓ３）。
【００５３】
外部の表示装置に送信された第１再生信号が表示された状態で、ユーザの操作によりリモコンなどから主視聴チャンネルが指定されると、指定された主視聴チャンネルへの切替要求である主視聴チャンネル切替要求がユーザ制御手段１８において生成される（Ｓ４）。
【００５４】
ここでは、図３に示すようにユーザにより指定された主視聴チャンネルは「０」であり、このチャンネルで放送されている番組を番組「M-CH0」とする。
【００５５】
この番組「M-CH0」は、再生区間「M0-1」、「M0-2」、「M0-3」の間にＣＭ放送区間であるＣＭ区間「CM1」、「CM2」が挿入され、再生区間「M0-1」→ＣＭ区間「CM1」→再生区間「M0-2」→ＣＭ区間「CM2」→再生区間「M0-3」の順に放送される。
【００５６】
また、本実施形態において裏チャンネルはチャンネル「１」、「２」、「３」の３つであり、これらのチャンネルで放送されている番組をそれぞれ番組「S-CH1」、「S-CH2」、「S-CH3」とする。
【００５７】
番組「M-CH0」の再生区間「M0-1」の開始〜再生区間「M0-3」の終了までの間に、番組「S-CH1」は、再生区間「S1-1」→再生区間「S1-2」→再生区間「S1-3」→再生区間「S1-4」→再生区間「S1-5」の順に放送され、番組「S-CH2」は、再生区間「S2-1」→再生区間「S2-2」→再生区間「S2-3」→再生区間「S2-4」→再生区間「S2-5」の順に放送され、番組「S-CH3」は、再生区間「S3-1」→再生区間「S3-2」→再生区間「S3-3」→再生区間「S3-4」→再生区間「S3-5」の順に放送される。
【００５８】
また、第２放送選局手段１３において裏チャンネルは、チャンネル「１」→チャンネル「２」→チャンネル「３」の順に高い優先順位で選択されるものとする。
【００５９】
ステップＳ４においてユーザ制御手段１８でチャンネル「０」への主視聴チャンネル切替要求が生成されるとチャンネル制御手段２０２に送出され、さらにチャンネル制御手段２０２から第１放送選局手段１２に送出される。
【００６０】
第１放送選局手段１２においてチャンネル「０」への主視聴チャンネル切替要求が取得されると、この主視聴チャンネル切替要求に従って、選局されるチャンネルがユーザの所望の主視聴チャンネル「０」に切り替えられる。
【００６１】
第１放送選局手段１２において選局される主視聴チャンネルがチャンネル「０」に切り替えられると、第１映像音声信号処理手段１４においてこの選局された主視聴チャンネル「０」の放送中の番組「M-CH0」の再生区間「M0-1」の圧縮された放送信号が放送電波から取得される。
【００６２】
さらに、第１映像音声信号処理手段１４において取得された番組「M-CH0」の再生区間「M0-1」の圧縮された放送信号が伸張され、番組「M-CH0」の再生区間「M0-1」の第１再生信号が生成される（Ｓ５）。
【００６３】
信号切替手段１６では引き続き第１再生信号が選択され、番組「M-CH0」の再生区間「M0-1」の第１再生信号が出力手段１７に送出される。
【００６４】
出力手段１７において取得された番組「M-CH0」の再生区間「M0-1」の第１再生信号は、表示させるための表示信号に変換され、外部の表示装置に送信される（Ｓ６）。
【００６５】
以上のようにステップＳ４〜Ｓ６の処理が行われることにより、第１放送選局手段１２でユーザに指定された主視聴チャンネル「０」が選局され、このチャンネル「０」の番組「M-CH0」の再生区間「M0-1」が表示装置に出力される。
【００６６】
図３に示すように、表示装置に主視聴チャンネル「０」の番組「M-CH0」の再生区間「M0-1」の出力が開始されたときを時刻t0とする。
【００６７】
主視聴チャンネル「０」の番組「M-CH0」の再生区間「M0-1」の出力が開始されると、第１ＣＭ検出手段１９では、第１映像音声信号処理手段１４で生成されている第１再生信号から、ＣＭ区間の開始時であるＣＭ開始時を検出するための監視が行われる（Ｓ７）。
【００６８】
ＣＭ開始時が検出されるまでの間（Ｓ７の「NO」）にユーザにより放送受信再生装置１の電源がOFFにされると（Ｓ８の「YES」）処理が終了される。
【００６９】
電源がOFFにされていない状態で（Ｓ８の「NO」）、ユーザにより主視聴チャンネルの変更が指定されユーザ制御手段１８で主視聴チャンネル切替要求が生成されると（Ｓ９の「YES」）、ステップＳ５に戻り、ユーザの所望の主視聴チャンネルに切り替えられ表示装置に表示される（Ｓ５、Ｓ６）。
【００７０】
本実施形態においては、時刻t1になりＣＭ区間「CM1」の放送が開始されると、第１ＣＭ検出手段１９においてＣＭ開始時が検出される（Ｓ７の「YES」）。
【００７１】
第１ＣＭ検出手段１９でＣＭ開始時が検出されると、チャンネル切替タイミング管理手段２０１およびチャンネル制御手段２０２に送出される。
【００７２】
チャンネル制御手段２０２では、ＣＭ開始時が取得されると、信号切替手段１６で選択される再生信号を第１再生信号から第２再生信号に切り替えるための信号切替要求が生成され、信号切替手段１６に送出される。
【００７３】
信号切替手段１６では、信号切替要求が取得されると、選択する再生信号が第１再生信号から第２再生信号に切り替えられる。
【００７４】
ここでは、第２放送選局手段１３では裏チャンネルの中で優先順位の最も高いチャンネル「１」が選局されており、このチャンネル「１」で放送されている番組「S-CH1」の再生区間「S1-2」の圧縮された放送信号が第２映像音声信号処理手段１５で取得される。
【００７５】
第２映像音声信号処理手段１５で取得された番組「S-CH1」の再生区間「S1-2」の圧縮された放送信号は伸張されて第２再生信号が生成され、信号切替手段１６に送出される。
【００７６】
信号切替手段１６では取得した信号切替要求に従って第２再生信号が選択され、出力手段１７に送出される。
【００７７】
出力手段１７では取得された番組「S-CH1」の再生区間「S1-2」の第２再生信号が表示信号に変換され、外部の表示装置に送信される（Ｓ１０）。
【００７８】
以上のように時刻t1においてステップＳ２７、Ｓ１０の処理が行われることにより、第２放送選局手段１３で選局されている裏チャンネル「１」の番組「S-CH1」の再生区間「S1-2」が表示装置に出力される。
【００７９】
また、チャンネル切替タイミング管理手段２０１では、ＣＭ開始時が検出されると、予め設定された裏チャンネルの１チャンネルあたりの再生時間である裏チャンネル再生時間T0のカウントが開始され、この裏チャンネル再生時間T0経過毎に裏チャンネル切替要求が生成されてチャンネル制御手段２０２に送出される。
【００８０】
この裏チャンネル切替要求の生成処理は、第１ＣＭ検出手段１９においてＣＭ区間の終了時であるＣＭ終了時が検出されるまで続けられる。
【００８１】
この裏チャンネル切替要求の生成処理が行われている状態において、第１ＣＭ検出手段１９では、第１映像音声信号処理手段１４で生成されている第１再生信号から、ＣＭ区間の終了時であるＣＭ終了時を検出するための監視が行われる（Ｓ１１）。
【００８２】
ＣＭ終了時が検出されるまでの間（Ｓ１１の「NO」）にユーザにより放送受信再生装置１の電源がOFFにされると（Ｓ１２の「YES」）処理が終了される。
【００８３】
電源がOFFにされていない状態で（Ｓ１２の「NO」）、チャンネル切替タイミング管理手段２０１で生成された裏チャンネル切替要求がチャンネル制御手段２０２で取得されると（Ｓ１３の「YES」）、ステップＳ１０に戻り、切り替えられた裏チャンネルの放送信号から生成された再生信号が表示装置に表示される（Ｓ１０）。
【００８４】
本実施形態においては、番組「S-CH1」の再生区間「S1-2」の出力が開始された時刻t1から裏チャンネル再生時間T0が経過した時刻t2になると、チャンネル切替タイミング管理手段２０１において裏チャンネル切替要求が生成されてチャンネル制御手段２０２に送出される。
【００８５】
チャンネル制御手段２０２でこの裏チャンネル切替要求が取得されると（Ｓ１３の「YES」）、ステップＳ３０に戻り、選局するチャンネルがチャンネル「１」の次に優先順位が高いチャンネル「２」に切り替える指示とともに、この裏チャンネル切替要求が第２放送選局手段１３に送出される。
【００８６】
第２放送選局手段１３では、このチャンネル「２」で放送されている番組「S-CH2」の再生区間「S2-2」の圧縮された放送信号が第２映像音声信号処理手段１５で取得される。
【００８７】
第２映像音声信号処理手段１５で取得された番組「S-CH2」の再生区間「S2-2」の圧縮された放送信号は、伸張されて第２再生信号が生成され信号切替手段１６に送出される。
【００８８】
信号切替手段１６では引き続き第２再生信号が選択され、出力手段１７に送出される。
【００８９】
出力手段１７では取得された番組「S-CH2」の再生区間「S2-2」の第２再生信号が表示信号に変換され、外部の表示装置に送信される（Ｓ１０）。
【００９０】
以上のように時刻t2においてステップＳ３３、Ｓ１０の処理が行われることにより、第２放送選局手段１３で切り替えられた裏チャンネル「２」の番組「S-CH2」の再生区間「S2-2」が表示装置に出力される。
【００９１】
さらに、ＣＭ終了時が検出される前（Ｓ１１の「NO」）であり、且つ電源がOFFされていないとき（Ｓ１２の「NO」）には、チャンネル切替タイミング管理手段２０１で裏チャンネル切替要求の生成処理が継続して行われており、時刻t2から裏チャンネル再生時間T0が経過した時刻t3になると、チャンネル切替タイミング管理手段２０１において裏チャンネル切替要求が生成されてチャンネル制御手段２０２に送出される。
【００９２】
チャンネル制御手段２０２ではこの裏チャンネル切替要求が取得されたかＣＭ終了時が検出されるまで監視されており（Ｓ１３の「NO」）、裏チャンネル切替要求が取得されると（Ｓ１３の「YES」）、さらに第２放送選局手段１３に送出され、再度ステップＳ３０に戻る。
【００９３】
第２放送選局手段１３では、裏チャンネル切替要求が取得されると、選局するチャンネルがチャンネル「２」の次に優先順位が高いチャンネル「３」に切り替えられ、このチャンネル「３」で放送されている番組「S-CH3」の再生区間「S3-2」の圧縮された放送信号が第２映像音声信号処理手段１５で取得される。
【００９４】
第２映像音声信号処理手段１５で取得された番組「S-CH3」の再生区間「S3-2」の圧縮された放送信号は、伸張されて第２再生信号が生成され信号切替手段１６に送出される。
【００９５】
信号切替手段１６では引き続き第２再生信号が選択され、出力手段１７に送出される。
【００９６】
出力手段１７では取得された番組「S-CH3」の再生区間「S3-2」の第２再生信号が表示信号に変換され、外部の表示装置に送信される（Ｓ１０）。
【００９７】
以上のように時刻t3においてステップＳ３３、Ｓ１０の処理が行われることにより、第２放送選局手段１３で切り替えられた裏チャンネル「３」の番組「S-CH3」の再生区間「S3-2」が表示装置に出力される。
【００９８】
次に、時刻t2から裏チャンネル再生時間T0が経過する前に時刻t4になりＣＭ区間「CM1」の放送が終了すると、第１ＣＭ検出手段１９においてＣＭ終了時が検出される（Ｓ１１の「YES」）。
【００９９】
第１ＣＭ検出手段１９でＣＭ終了時が検出されると、チャンネル切替タイミング管理手段２０１およびチャンネル制御手段２０２に送出される。
【０１００】
チャンネル制御手段２０２でＣＭ終了時が取得されると、ステップＳ２５に戻り、信号切替手段１６で選択される再生信号を第２再生信号から第１信号に切り替えるための信号切替要求が生成され、信号切替手段１６に送出される。
【０１０１】
信号切替手段１６では、信号切替要求が取得されると選択する再生信号が第２再生信号から第１再生信号に切り替えられる。
【０１０２】
ここでは、第１放送選局手段１２ではＣＭ区間「CM1」になる前に設定された主視聴チャンネル「０」が選局されており、この主視聴チャンネル「０」で引き続き放送されている番組「M-CH0」の再生区間「M0-2」の圧縮された放送信号が第１映像音声信号処理手段１４で取得される。
【０１０３】
第１映像音声信号処理手段１４で取得された番組「M-CH0」の再生区間「M0-2」の圧縮された放送信号は伸張されて第１再生信号が生成され、信号切替手段１６に送出される（Ｓ５）。
【０１０４】
信号切替手段１６では取得した信号切替要求に従って第１再生信号が選択され、出力手段１７に送出される。
【０１０５】
出力手段１７では取得された番組「M-CH0」の再生区間「M0-2」の第１再生信号が表示信号に変換され、外部の表示装置に送信される（Ｓ６）。
【０１０６】
以上のように時刻t4においてステップＳ２５、Ｓ６の処理が行われることにより、第１放送選局手段１２で選局されている主視聴チャンネル「０」の番組「M-CH0」の再生区間「M0-2」が表示装置に出力される。
【０１０７】
主視聴チャンネル「０」の番組「M-CH0」の再生区間「M0-2」の出力が開始されると、第１ＣＭ検出手段１９において、第１映像音声信号処理手段１４で生成されている第１再生信号からＣＭ区間の開始時であるＣＭ開始時を検出するための監視が行われ、ステップＳ２７以降の処理が同様に行われる。
【０１０８】
その結果、番組「M-CH0」の再生区間「M0-2」の後の主視聴チャンネル「０」のＣＭ区間「CM2」に、裏チャンネル「１」の番組「S-CH1」の再生区間「S1-4」→裏チャンネル「２」の番組「S-CH2」の再生区間「S2-4」→裏チャンネル「３」の番組「S-CH3」の再生区間「S3-4」→主視聴チャンネル「０」の番組「M-CH0」の再生区間「M0-3」のように出力される。
【０１０９】
上記の処理中、表示手段２１には、チャンネル制御手段２０２で取得した信号切替要求、主チャンネル切替要求、および裏チャンネル切替要求に基づいて、放送受信再生装置１の動作状態やユーザの操作内容が表示される。
【０１１０】
以上の本実施形態によれば、視聴している番組のＣＭ区間に複数の裏チャンネルの放送をユーザが操作することなしに出力することにより、ユーザはＣＭ区間を利用して他の複数の裏チャンネルで放送されている番組を確認することができ、ＣＭ区間を効率的に利用することができる。
【０１１１】
本実施形態においては、裏チャンネル再生時間は予め設定された時間を用いて処理を行ったが、これには限定されず、１回目のＣＭ区間の放送時間を２回目以降のＣＭ区間の放送時間として予測し、この予測されたＣＭ区間の時間を裏チャンネル数で均等に割った時間を裏チャンネル再生時間として設定するようにしてもよい。
【０１１２】
また、本実施形態においては、受信した放送信号から第１映像音声信号処理手段および第２映像音声信号処理手段において再生信号を生成して外部の表示装置に再生するようにしたが、受信した放送信号を第１映像音声信号処理手段および第２映像音声信号処理手段において記録信号に変換して外部の記録装置に記録するようにしてもよい。
【０１１３】
《第２実施形態》
本発明の第２実施形態では、ユーザが視聴している主視聴チャンネルのＣＭ区間に、ユーザが主視聴チャンネルごとに設定した複数の裏チャンネルを順次出力する放送受信再生装置について説明する。
【０１１４】
〈第２実施形態による放送受信再生装置２の構成〉
本発明の第２実施形態による放送受信再生装置２の構成を、図４を参照して説明する。
【０１１５】
本実施形態による放送受信再生装置２の構成は、制御手段２０に裏チャンネル指定管理手段２０３と、時刻情報取得手段２０４とを有する他は第１実施形態の構成と同様であるため、詳細な説明は省略する。
【０１１６】
裏チャンネル指定管理手段２０３は、ユーザにより設定された、主視聴チャンネルのＣＭ区間に出力する裏チャンネルを指定するための裏チャンネル指定情報を、指定時間ごとに記憶する。
【０１１７】
図５に、本実施形態において裏チャンネル指定管理手段２０３に記憶される裏チャンネル指定情報の一例を示す。
【０１１８】
図５の裏チャンネル指定情報においては、（１）指定時間12：00〜16：59の間は主視聴チャンネルとしてチャンネル「０」を視聴しているときのＣＭ区間には、裏チャンネルとしてチャンネル「１」とチャンネル「２」とが切り替えられて出力され、主視聴チャンネルとしてチャンネル「２」を視聴しているときのＣＭ区間には、裏チャンネルとしてチャンネル「０」とチャンネル「３」とが切り替えられて出力されるように指定され、（２）指定時間18：00〜22：29の間は主視聴チャンネルとしてチャンネル「０」を視聴しているときのＣＭ区間には、裏チャンネルとしてチャンネル「２」とチャンネル「３」が切り替えられて出力され、主視聴チャンネルとしてチャンネル「３」を視聴しているときのＣＭ区間には、裏チャンネルとしてチャンネル「０」とチャンネル「１」が切り替えられて出力されるように指定され、裏チャンネル指定管理手段２０３に記憶されている。
【０１１９】
時刻情報取得手段２０４は、チャンネル制御手段２０２からの要求に応じて現在時刻情報を取得する。
【０１２０】
また、本実施形態においてチャンネル切替タイミング管理手段２０１は、第１実施形態におけるチャンネル切替タイミング管理手段２０１と同様の機能を有する他に、同一の番組における１回目のＣＭ区間の再生時間を裏チャンネル数で割って算出された時間を、２回目以降の裏チャンネル再生時間として設定する機能を有する。
【０１２１】
〈第２実施形態による放送受信再生装置２の動作〉
本実施形態による放送受信再生装置２の動作について、図６のフローチャートおよび図７の説明図を参照して説明する。
【０１２２】
図６のフローチャートにおいて、ステップＳ２１〜ステップＳ２６の処理は第１実施形態のステップＳ１〜ステップＳ６と同様であるため、詳細な説明を省略する。
【０１２３】
本実施形態においては、図７に示すように、ユーザにより指定された主視聴チャンネルは「０」であり、このチャンネルで放送されている番組を番組「M-CH0」とする。
【０１２４】
この番組「M-CH0」は、再生区間「M0-1」、「M0-2」、「M0-3」の間にＣＭ放送区間であるＣＭ区間「CM1」、「CM2」が挿入され、再生区間「M0-1」→ＣＭ区間「CM1」→再生区間「M0-2」→ＣＭ区間「CM2」→再生区間「M0-3」の順に放送される。
【０１２５】
また、本実施形態において裏チャンネルはチャンネル「１」、「２」、「３」の３つであり、これらのチャンネルで放送されている番組をそれぞれ番組「S-CH1」、「S-CH2」、「S-CH3」とする。
【０１２６】
番組「M-CH0」の再生区間「M0-1」の開始〜再生区間「M0-3」の終了までの間に、番組「S-CH1」は、再生区間「S1-1」→再生区間「S1-2」→再生区間「S1-3」の順に放送され、番組「S-CH2」は、再生区間「S2-1」→再生区間「S2-2」→再生区間「S2-3」→再生区間「S2-4」→再生区間「S2-5」の順に放送され、番組「S-CH3」は、再生区間「S3-1」→再生区間「S3-2」→再生区間「S3-3」の順に放送される。
【０１２７】
また、第２放送選局手段１３において裏チャンネルは、裏チャンネル指定管理手段２０３に記憶されている図５に示す裏チャンネル指定情報に従って選択される。
【０１２８】
また、本実施形態においては、図７に示すように、表示装置に主視聴チャンネル「０」の番組「M-CH0」の再生区間「M0-1」の出力が開始されたときを時刻t11とする。
【０１２９】
主視聴チャンネル「０」の番組「M-CH0」の再生区間「M0-1」の出力が開始されると、第１ＣＭ検出手段１９では、第１映像音声信号処理手段１４で生成されている第１再生信号から、ＣＭ区間の開始時であるＣＭ開始時を検出するための監視が行われる（Ｓ２７）。
【０１３０】
ＣＭ開始時が検出されるまでの間（Ｓ２７の「NO」）にユーザにより放送受信再生装置１の電源がOFFにされると（Ｓ２８の「YES」）処理が終了される。
【０１３１】
電源がOFFにされていない状態で（Ｓ２８の「NO」）、ユーザにより主視聴チャンネルの変更が指定されユーザ制御手段１８で主視聴チャンネル切替要求が生成されると（Ｓ２９の「YES」）、ステップＳ２５に戻り、ユーザの所望の主視聴チャンネルに切り替えられ表示装置に表示される（Ｓ２５、Ｓ２６）。
【０１３２】
本実施形態においては、時刻t12になりＣＭ区間「CM1」の放送が開始されると、第１ＣＭ検出手段１９においてＣＭ開始時が検出される（Ｓ２７の「YES」）。
【０１３３】
第１ＣＭ検出手段１９でＣＭ開始時が検出されると、チャンネル切替タイミング管理手段２０１およびチャンネル制御手段２０２に送出される。
【０１３４】
チャンネル制御手段２０２では、ＣＭ開始時が取得されると、信号切替手段１６で選択される再生信号を第１再生信号から第２再生信号に切り替えるための信号切替要求が生成され、信号切替手段１６に送出される。
【０１３５】
信号切替手段１６では、信号切替要求が取得されると、選択する再生信号が第１再生信号から第２再生信号に切り替えられる。
【０１３６】
また、チャンネル制御手段２０２では、ＣＭ開始時が取得されると、裏チャンネル指定管理手段２０３から裏チャンネル指定情報が取得されるとともに時刻情報取得手段２０４から現在時刻情報が取得される（Ｓ３０）。そして、設定されている主視聴チャンネルおよび取得された現在時刻情報が有効となる裏チャンネル指定情報があるか否かが判断される（Ｓ３１）。
【０１３７】
ステップＳ３１の判断の結果、有効となる裏チャンネル指定情報がある場合には、指定された裏チャンネルが主視聴チャンネルと同じか否かが判定される（Ｓ３２）。
【０１３８】
ステップＳ３２の判断の結果、指定された裏チャンネルが主視聴チャンネルと異なる場合には（Ｓ３２の「NO」）、裏チャンネル指定情報に従って裏チャンネルが選局される。
【０１３９】
ここでは、主視聴チャンネルが「０」に設定され、時刻情報取得手段２０４から取得された現在時刻情報は12：00であるため、裏チャンネル指定情報の（１）に基づいて裏チャンネルは「１」が選択される。
【０１４０】
選択された裏チャンネル「１」は主視聴チャンネル「０」と異なるため、この裏チャンネル「１」で放送されている番組「S-CH1」の再生区間「S1-2」の圧縮された放送信号が第２映像音声信号処理手段１５で取得される。
【０１４１】
第２映像音声信号処理手段１５で取得された番組「S-CH1」の再生区間「S1-2」の圧縮された放送信号は伸張されて第２再生信号が生成され、信号切替手段１６に送出される。
【０１４２】
信号切替手段１６では取得した信号切替要求に従って第２再生信号が選択され、出力手段１７に送出される。
【０１４３】
出力手段１７では取得された番組「S-CH1」の再生区間「S1-2」の第２再生信号が表示信号に変換され、外部の表示装置に送信される（Ｓ３３）。
【０１４４】
以上のように時刻t12においてステップＳ２７、Ｓ３０の処理が行われることにより、第２放送選局手段１３で選局されている裏チャンネル「１」の番組「S-CH1」の再生区間「S1-2」が表示装置に出力される。
【０１４５】
また、チャンネル切替タイミング管理手段２０１では、ＣＭ開始時が検出されると、予め設定された裏チャンネルの１チャンネルあたりの再生時間である裏チャンネル再生時間T0のカウントが開始され、この裏チャンネル再生時間T0経過毎に裏チャンネル切替要求が生成されてチャンネル制御手段２０２に送出される。
【０１４６】
この裏チャンネル切替要求の生成処理は、第１ＣＭ検出手段１９においてＣＭ区間の終了時であるＣＭ終了時が検出されるまで続けられる。
【０１４７】
この裏チャンネル切替要求の生成処理が行われている状態のとき、またステップＳ３１の判断の結果、設定されている主視聴チャンネルおよび取得した現在時刻情報が有効となる裏チャンネル指定情報がないと判断されたときは、第１ＣＭ検出手段１９では、第１映像音声信号処理手段１４で生成されている第１再生信号から、ＣＭ区間の終了時であるＣＭ終了時を検出するための監視が行われる（Ｓ３４）。
【０１４８】
ＣＭ終了時が検出されるまでの間（Ｓ３４の「NO」）にユーザにより放送受信再生装置１の電源がOFFにされると（Ｓ３５の「YES」）処理が終了される。
【０１４９】
電源がOFFにされていない状態で（Ｓ３５の「NO」）、チャンネル切替タイミング管理手段２０１で生成された裏チャンネル切替要求がチャンネル制御手段２０２で取得されると（Ｓ３６の「YES」）、ステップＳ３０に戻る。
【０１５０】
本実施形態においては、番組「S-CH1」の再生区間「S1-2」の出力が開始された時刻t12から裏チャンネル再生時間T0が経過した時刻t13になると、チャンネル切替タイミング管理手段２０１において裏チャンネル切替要求が生成されてチャンネル制御手段２０２に送出される。
【０１５１】
チャンネル制御手段２０２ではこの裏チャンネル切替要求が取得されたかＣＭ終了時が検出されるまで監視されており（Ｓ３６の「NO」）、裏チャンネル切替要求が取得されると（Ｓ３６の「YES」）、ステップＳ３０に戻り、再度裏チャンネル指定情報および現在時刻情報が取得され（Ｓ３０）、有効となる裏チャンネル指定情報があるか否かが判断される（Ｓ３１）。
【０１５２】
ここでは、裏チャンネル指定情報の（１）に基づいて主視聴チャンネルが「０」の場合の裏チャンネルとしてチャンネル「１」の次に指定されているチャンネル「２」に切り替える指示とともに、この裏チャンネル切替要求が第２放送選局手段１３に送出される。
【０１５３】
第２放送選局手段１３では、このチャンネル「２」で放送されている番組「S-CH2」の再生区間「S2-2」の圧縮された放送信号が第２映像音声信号処理手段１５で取得される。
【０１５４】
第２映像音声信号処理手段１５で取得された番組「S-CH2」の再生区間「S2-2」の圧縮された放送信号は、伸張されて第２再生信号が生成され信号切替手段１６に送出される。
【０１５５】
信号切替手段１６では引き続き第２再生信号が選択され、出力手段１７に送出される。
【０１５６】
出力手段１７では取得された番組「S-CH2」の再生区間「S2-2」の第２再生信号が表示信号に変換され、外部の表示装置に送信される（Ｓ３３）。
【０１５７】
以上のように時刻t13においてステップＳ３６、Ｓ３０の処理が行われることにより、第２放送選局手段１３で切り替えられた裏チャンネル「２」の番組「S-CH2」の再生区間「S2-2」が表示装置に出力される。
【０１５８】
ステップＳ３１において有効となる裏チャンネル指定情報がないと判断されたときは（Ｓ３１の「NO」）、ステップＳ３４に移り、ＣＭ終了時が検出されたか監視される。
【０１５９】
次に、時刻t13から裏チャンネル再生時間T0より短い再生時間T1が経過して時刻t14になった時点でＣＭ区間「CM1」の放送が終了すると、第１ＣＭ検出手段１９においてＣＭ終了時が検出される（Ｓ３４の「YES」）。
【０１６０】
第１ＣＭ検出手段１９でＣＭ終了時が検出されると、チャンネル切替タイミング管理手段２０１およびチャンネル制御手段２０２に送出される。
【０１６１】
チャンネル制御手段２０２でＣＭ終了時が取得されると、ステップＳ２５に戻り、信号切替手段１６で選択される再生信号を第２再生信号から第１信号に切り替えるための信号切替要求が生成され、信号切替手段１６に送出される。
【０１６２】
信号切替手段１６では、信号切替要求が取得されると選択する再生信号が第２再生信号から第１再生信号に切り替えられる。
【０１６３】
ここでは、第１放送選局手段１２ではＣＭ区間「CM1」になる前に設定された主視聴チャンネル「０」が選局されており、この主視聴チャンネル「０」で引き続き放送されている番組「M-CH0」の再生区間「M0-2」の圧縮された放送信号が第１映像音声信号処理手段１４で取得される。
【０１６４】
第１映像音声信号処理手段１４で取得された番組「M-CH0」の再生区間「M0-2」の圧縮された放送信号は伸張されて第１再生信号が生成され、信号切替手段１６に送出される（Ｓ２５）。
【０１６５】
信号切替手段１６では取得した信号切替要求に従って第１再生信号が選択され、出力手段１７に送出される。
【０１６６】
出力手段１７では取得された番組「M-CH0」の再生区間「M0-2」の第１再生信号が表示信号に変換され、外部の表示装置に送信される（Ｓ２６）。
【０１６７】
以上のように時刻t14においてステップＳ２５、Ｓ２６の処理が行われることにより、第１放送選局手段１２で選局されている主視聴チャンネル「０」の番組「M-CH0」の再生区間「M0-2」が表示装置に出力される。
【０１６８】
主視聴チャンネル「０」の番組「M-CH0」の再生区間「M0-2」の出力が開始されると、第１ＣＭ検出手段１９において、第１映像音声信号処理手段１４で生成されている第１再生信号からＣＭ区間の開始時であるＣＭ開始時を検出するための監視が行われる（Ｓ２７）。
【０１６９】
時刻t15になりＣＭ区間「CM2」の放送が開始されると、第１ＣＭ検出手段１９においてＣＭ開始時が検出される（Ｓ２７の「YES」）。
【０１７０】
第１ＣＭ検出手段１９でＣＭ開始時が検出されると、チャンネル切替タイミング管理手段２０１およびチャンネル制御手段２０２に送出される。
【０１７１】
チャンネル制御手段２０２では、ＣＭ開始時が取得されると、信号切替手段１６で選択される再生信号を第１再生信号から第２再生信号に切り替えるための信号切替要求が生成され、信号切替手段１６に送出される。
【０１７２】
信号切替手段１６では、信号切替要求が取得されると、選択する再生信号が第１再生信号から第２再生信号に切り替えられる。
【０１７３】
また、チャンネル制御手段２０２では、ＣＭ開始時が取得されると、裏チャンネル指定管理手段２０３から裏チャンネル指定情報が取得されるとともに時刻情報取得手段２０４から現在時刻情報が取得される（Ｓ３０）。そして、設定されている主視聴チャンネルおよび取得した現在時刻情報が有効となる裏チャンネル指定情報があるか否かが判断される（Ｓ３１）。
【０１７４】
ここでは、主視聴チャンネルが「０」に設定され、時刻情報取得手段２０４から取得された現在時刻情報は18：00であるため、裏チャンネル指定情報の（２）に基づいて裏チャンネルは「２」が選局され、このチャンネル「２」で放送されている番組「S-CH2」の再生区間「S2-4」の圧縮された放送信号が第２映像音声信号処理手段１５で取得される。
【０１７５】
第２映像音声信号処理手段１５で取得された番組「S-CH2」の再生区間「S2-4」の圧縮された放送信号は伸張されて第２再生信号が生成され、信号切替手段１６に送出される。
【０１７６】
信号切替手段１６では取得した信号切替要求に従って第２再生信号が選択され、出力手段１７に送出される。
【０１７７】
出力手段１７では取得された番組「S-CH1」の再生区間「S2-4」の第２再生信号が表示信号に変換され、外部の表示装置に送信される（Ｓ３３）。
【０１７８】
以上のように時刻t15においてステップＳ２７、Ｓ１０の処理が行われることにより、第２放送選局手段１３で選局されている裏チャンネル「２」の番組「S-CH2」の再生区間「S2-4」が表示装置に出力される。
【０１７９】
また、チャンネル切替タイミング管理手段２０１では、ＣＭ開始時が検出されると、番組「M-CH0」の１回目のＣＭ区間であるＣＭ区間「CM1」の再生時間を裏チャンネル数である「２」で割った２回目以降の裏チャンネル再生時間T2が生成されるとともにこの裏チャンネル再生時間T2のカウントが開始され、この裏チャンネル再生時間T2経過時に裏チャンネル切替要求が生成されてチャンネル制御手段２０２に送出される。
【０１８０】
この裏チャンネル切替要求の生成処理は、第１ＣＭ検出手段１９においてＣＭ区間の終了時であるＣＭ終了時が検出されるまで続けられる。
【０１８１】
この裏チャンネル切替要求の生成処理が行われている状態のとき、またステップＳ３１の判断の結果、設定されている主視聴チャンネルおよび取得した現在時刻情報が有効となる裏チャンネル指定情報がないと判断されたときは、第１ＣＭ検出手段１９では、第１映像音声信号処理手段１４で生成されている第１再生信号から、ＣＭ区間の終了時であるＣＭ終了時を検出するための監視が行われる（Ｓ３４）。
【０１８２】
ＣＭ終了時が検出されるまでの間（Ｓ３４の「NO」）にユーザにより放送受信再生装置１の電源がOFFにされると（Ｓ３５の「YES」）処理が終了される。
【０１８３】
電源がOFFにされていない状態で（Ｓ３５の「NO」）、チャンネル切替タイミング管理手段２０１で生成された裏チャンネル切替要求がチャンネル制御手段２０２で取得されると（Ｓ３６の「YES」）、ステップＳ３０に戻る。
【０１８４】
本実施形態においては、番組「S-CH2」の再生区間「S2-4」の出力が開始された時刻t15から裏チャンネル再生時間T2が経過した時刻t16になると、チャンネル切替タイミング管理手段２０１において裏チャンネル切替要求が生成されてチャンネル制御手段２０２に送出される。
【０１８５】
チャンネル制御手段２０２でこの裏チャンネル切替要求が取得されると（Ｓ３６の「YES」）、ステップＳ３０に戻り、再度裏チャンネル指定情報および現在時刻情報が取得され（Ｓ３０）、有効となる裏チャンネル指定情報があるか否かが判断される（Ｓ３１）。
【０１８６】
ここでは、裏チャンネル指定情報の（２）に基づいて主視聴チャンネルが「０」の場合の裏チャンネルとしてチャンネル「２」の次に指定されているチャンネル「３」に切り替える指示とともに、この裏チャンネル切替要求が第２放送選局手段１３に送出される。
【０１８７】
第２放送選局手段１３では、このチャンネル「３」で放送されている番組「S-CH3」の再生区間「S3-2」の圧縮された放送信号が第２映像音声信号処理手段１５で取得される。
【０１８８】
第２映像音声信号処理手段１５で取得された番組「S-CH3」の再生区間「S3-2」の圧縮された放送信号は、伸張されて第２再生信号が生成され信号切替手段１６に送出される。
【０１８９】
信号切替手段１６では引き続き第２再生信号が選択され、出力手段１７に送出される。
【０１９０】
出力手段１７では取得された番組「S-CH3」の再生区間「S3-2」の第２再生信号が表示信号に変換され、外部の表示装置に送信される（Ｓ３３）。
【０１９１】
以上のように時刻t16においてステップＳ３６、Ｓ３０の処理が行われることにより、第２放送選局手段１３で切り替えられた裏チャンネル「３」の番組「S-CH3」の再生区間「S3-2」が表示装置に出力される。
【０１９２】
次に、時刻t16から裏チャンネル再生時間T2が経過して時刻t17になると、ＣＭ区間「CM1」の放送が終了し、第１ＣＭ検出手段１９においてＣＭ終了時が検出される（Ｓ３４の「YES」）。
【０１９３】
第１ＣＭ検出手段１９でＣＭ終了時が検出されると、チャンネル切替タイミング管理手段２０１およびチャンネル制御手段２０２に送出される。
【０１９４】
チャンネル制御手段２０２でＣＭ終了時が取得されると、ステップＳ２５に戻り、信号切替手段１６で選択される再生信号を第２再生信号から第１信号に切り替えるための信号切替要求が生成され、信号切替手段１６に送出される。
【０１９５】
信号切替手段１６では、信号切替要求が取得されると選択する再生信号が第２再生信号から第１再生信号に切り替えられる。
【０１９６】
ここでは、第１放送選局手段１２ではＣＭ区間「CM2」になる前に設定された主視聴チャンネル「０」が選局されており、この主視聴チャンネル「０」で引き続き放送されている番組「M-CH0」の再生区間「M0-3」の圧縮された放送信号が第１映像音声信号処理手段１４で取得される。
【０１９７】
第１映像音声信号処理手段１４で取得された番組「M-CH0」の再生区間「M0-2」の圧縮された放送信号は伸張されて第１再生信号が生成され、信号切替手段１６に送出される（Ｓ２５）。
【０１９８】
信号切替手段１６では取得した信号切替要求に従って第１再生信号が選択され、出力手段１７に送出される。
【０１９９】
出力手段１７では取得された番組「M-CH0」の再生区間「M0-3」の第１再生信号が表示信号に変換され、外部の表示装置に送信される（Ｓ２６）。
【０２００】
以上のように時刻t17においてステップＳ２５、Ｓ６の処理が行われることにより、第１放送選局手段１２で選局されている主視聴チャンネル「０」の番組「M-CH0」の再生区間「M0-3」が表示装置に出力される。
【０２０１】
上記の処理中、第1実施形態と同様に表示手段２１には、チャンネル制御手段２０２で取得した信号切替要求、主チャンネル切替要求、および裏チャンネル切替要求に基づいて、放送受信再生装置２の動作状態やユーザの操作内容が表示される。
【０２０２】
以上の本実施形態によれば、視聴している番組のＣＭ区間に予めユーザが指定した複数の裏チャンネルの放送を出力することにより、ユーザは所望の裏チャンネルの番組を確認することができ、さらに効率的にＣＭ区間を利用することができる。
【０２０３】
本実施形態においては、裏チャンネルの再生時間は、同一の番組における１回目のＣＭ区間の再生時間を裏チャンネル数で割って算出された時間を２回目以降の裏チャンネル再生時間として設定したが、これには限定されず、それまでに検出された各番組や各時間帯のＣＭ区間の再生時間を蓄積して参照することで算出するようにしてもよい。
【０２０４】
《第３実施形態》
本発明の第３実施形態では、ユーザが視聴している主視聴チャンネルのＣＭ区間に、ユーザが主視聴チャンネルごとに設定したジャンルの裏チャンネルを順次出力する放送受信再生装置について説明する。
【０２０５】
〈第３実施形態による放送受信再生装置３の構成〉
本発明の第２実施形態による放送受信再生装置３の構成を、図８を参照して説明する。
【０２０６】
本実施形態による放送受信再生装置３の構成は、制御手段２０に裏チャンネル指定管理手段２０３と、第１番組情報解析手段２０５とを有する他は第１実施形態と同様であるため、詳細な説明は省略する。
【０２０７】
裏チャンネル指定管理手段２０３は、ユーザにより設定された、主視聴チャンネルのＣＭ区間に出力する裏チャンネルを指定するための裏チャンネル指定情報を、ジャンルごとに記憶する。
【０２０８】
本実施形態において裏チャンネル指定管理手段２０３に記憶される裏チャンネル指定情報の一例を図９に示す。
【０２０９】
図９の裏チャンネル指定情報においては、（１）主視聴チャンネルとしてチャンネル「０」を視聴しているときのＣＭ区間には、裏チャンネルとしてジャンルＡの番組を放送しているチャンネルが出力されるように指定され、（２）主視聴チャンネルとしてチャンネル「２」を視聴しているときのＣＭ区間には、裏チャンネルとしてジャンルＢの番組を放送しているチャンネルが出力されるように指定され、裏チャンネル指定管理手段２０３に記憶されている。
【０２１０】
第１番組情報解析手段２０５は、第２放送選局手段１３で選局されたチャンネルの放送信号に付加されている番組情報を取得して解析し、ジャンル情報を抽出する。
【０２１１】
〈第３実施形態による放送受信再生装置３の動作〉
本実施形態による放送受信再生装置３の動作について、図１０のフローチャートおよび図１１の説明図を参照して説明する。
【０２１２】
図１０のフローチャートにおいて、ステップＳ４１〜ステップＳ４６の処理は第１実施形態のステップＳ１〜Ｓ６と同様であるため、詳細な説明を省略する。
【０２１３】
本実施形態においては、図１１に示すように、ユーザにより指定された主視聴チャンネルは「０」であり、このチャンネルで放送されている番組を番組「M-CH0」とする。
【０２１４】
この番組「M-CH0」は、再生区間「M0-1」、「M0-2」、「M0-3」の間にＣＭ放送区間であるＣＭ区間「CM1」、「CM2」が挿入され、再生区間「M0-1」→ＣＭ区間「CM1」→再生区間「M0-2」→ＣＭ区間「CM2」→再生区間「M0-3」の順に放送される。
【０２１５】
また、本実施形態において裏チャンネルはチャンネル「１」、「２」、「３」、「４」、「５」の５つであり、これらのチャンネルで放送されている番組をそれぞれ番組「S-CH1」、「S-CH2」、「S-CH3」、「S-CH4」、「S-CH5」とする。
【０２１６】
番組「M-CH0」の再生区間「M0-1」の開始〜再生区間「M0-3」の終了までの間に、番組「S-CH1」は、再生区間「S1-1」→再生区間「S1-2」→再生区間「S1-3」→再生区間「S1-4」の順に放送され、番組「S-CH2」は、再生区間「S2-1」が連続して放送され、番組「S-CH3」は、再生区間「S3-1」→再生区間「S3-2」→再生区間「S3-3」→再生区間「S3-4」の順に放送され、番組「S-CH4」は、再生区間「S4-1」→再生区間「S4-2」→再生区間「S4-3」→再生区間「S4-4」→再生区間「S4-5」の順に放送され、番組「S-CH5」は、再生区間「S5-1」→再生区間「S5-2」→再生区間「S5-3」の順に放送される。
【０２１７】
また、これらの番組の各再生区間のジャンルは、番組「S-CH1」の再生区間「S1-1」〜「S1-3」はジャンルＡであり、再生区間「S1-4」はジャンルＢであり、番組「S-CH2」の再生区間「S2-1」はジャンルＢであり、番組「S-CH3」の再生区間「S3-1」はジャンルＣであり、再生区間「S3-2」〜「S3-4」はジャンルＡであり、番組「S-CH4」の再生区間「S4-1」〜「S4-5」はジャンルＡであり、番組「S-CH5」の再生区間「S5-1」はジャンルＣであり、再生区間「S5-2」〜「S5-4」はジャンルＡである。
【０２１８】
また、第２放送選局手段１３において裏チャンネルは、裏チャンネル指定管理手段２０３に記憶されている図９に示す裏チャンネル指定情報に従ってチャンネル制御手段２０２の制御によって選択される。
【０２１９】
また、本実施形態においては、図１１に示すように、表示装置に主視聴チャンネル「０」の番組「M-CH0」の再生区間「M0-1」の出力が開始されたときを時刻t19とする。
【０２２０】
主視聴チャンネル「０」の番組「M-CH0」の再生区間「M0-1」の出力が開始されると、第１ＣＭ検出手段１９では、第１映像音声信号処理手段１４で生成されている第１再生信号から、ＣＭ区間の開始時であるＣＭ開始時を検出するための監視が行われる（Ｓ４７）。
【０２２１】
ＣＭ開始時が検出されるまでの間（Ｓ４７の「NO」）にユーザにより放送受信再生装置３の電源がOFFにされると（Ｓ４８の「YES」）処理が終了される。
【０２２２】
電源がOFFにされていなければ（Ｓ４８の「NO」）、第１番組情報解析手段２０５において第２放送選局手段１３から番組情報を取得し、裏チャンネルであるチャンネル「１」〜「５」の番組の再生区間ごとのジャンル情報が取得される（Ｓ４９）。
【０２２３】
第１番組情報解析手段２０５において取得されるジャンル情報は、受信している最新の放送信号から取得されるものであり、変更があったときにはチャンネルごとに更新される。
【０２２４】
この時点（時刻t19〜ｔ20の間）において取得された裏チャンネルの番組の各再生区間のジャンルは、チャンネル「１」の番組「S-CH1」はジャンルＡであり、チャンネル「２」の番組「S-CH2」はジャンルＢであり、チャンネル「３」の番組「S-CH3」はジャンルＣであり、チャンネル「４」の番組「S-CH4」はジャンルＡであり、チャンネル「５」の番組「S-CH5」はジャンルＣである。
【０２２５】
また、視聴履歴管理手段２０６では、ユーザにより主視聴チャンネルの変更が指定されたか否かが判断される（Ｓ５０）。
【０２２６】
主視聴チャンネルの変更が指定されユーザ制御手段１８で主視聴チャンネル切替要求が生成されると（Ｓ５０の「YES」）、ステップＳ４５に戻り、ユーザの所望の主視聴チャンネルに切り替えられ表示装置に表示される（Ｓ４５、Ｓ４６）。
【０２２７】
本実施形態においては、時刻t20になりＣＭ区間「CM1」の放送が開始されると、第１ＣＭ検出手段１９においてＣＭ開始時が検出される（Ｓ４７の「YES」）。
【０２２８】
第１ＣＭ検出手段１９でＣＭ開始時が検出されると、チャンネル切替タイミング管理手段２０１およびチャンネル制御手段２０２に送出される。
【０２２９】
チャンネル制御手段２０２では、ＣＭ開始時が取得されると、信号切替手段１６で選択される再生信号を第１再生信号から第２再生信号に切り替えるための信号切替要求が生成され、信号切替手段１６に送出される。
【０２３０】
信号切替手段１６では、信号切替要求が取得されると、選択する再生信号が第１再生信号から第２再生信号に切り替えられる。
【０２３１】
また、チャンネル制御手段２０２では、ＣＭ開始時が取得されると、裏チャンネル指定管理手段２０３から裏チャンネル指定情報が取得されるとともに第１番組情報解析手段２０５から裏チャンネルのジャンル情報が取得される（Ｓ５１）。
【０２３２】
そして、設定されている主視聴チャンネルおよび取得された裏チャンネルのジャンル情報が有効となる裏チャンネル指定情報があるか否かが判断される（Ｓ５２）。
【０２３３】
ステップＳ５２の判断の結果、有効となる裏チャンネル指定情報がある場合には、指定された裏チャンネルが主視聴チャンネルと同じか否かが判定される（Ｓ５３）。
【０２３４】
ステップＳ５３の判断の結果、指定された裏チャンネルが主視聴チャンネルと異なる場合には（Ｓ５３の「NO」）、裏チャンネル指定情報に従って裏チャンネルが選局される。
【０２３５】
ここでは、主視聴チャンネルが「０」に設定され、第１番組情報解析手段２０５から取得された裏チャンネルのジャンル情報のうち、チャンネル「１」およびチャンネル「４」のジャンル情報がジャンルＡであるため、裏チャンネル指定情報の（１）に基づいて再生される裏チャンネルは「１」および「４」が選択される。
【０２３６】
さらに、選択された裏チャンネル「１」および「４」のうち、まずチャンネル「１」が選択され、この裏チャンネル「１」は主視聴チャンネル「０」と異なるため、この裏チャンネル「１」で時刻t20の時点で放送されている番組「S-CH1」の再生区間「S1-2」の圧縮された放送信号が第２映像音声信号処理手段１５で取得される。
【０２３７】
第２映像音声信号処理手段１５で取得された番組「S-CH1」の再生区間「S1-2」の圧縮された放送信号は伸張されて第２再生信号が生成され、信号切替手段１６に送出される。
【０２３８】
信号切替手段１６では取得した信号切替要求に従って第２再生信号が選択され、出力手段１７に送出される。
【０２３９】
出力手段１７では取得された番組「S-CH1」の再生区間「S1-2」の第２再生信号が表示信号に変換され、外部の表示装置に送信される（Ｓ５４）。
【０２４０】
以上のように時刻t20においてステップＳ４７、Ｓ５１の処理が行われることにより、第２放送選局手段１３で選局されている裏チャンネル「１」の番組「S-CH1」の再生区間「S1-2」が表示装置に出力される。
【０２４１】
また、チャンネル切替タイミング管理手段２０１では、ＣＭ開始時が検出されると、予め設定された裏チャンネルの１チャンネルあたりの再生時間のカウントが開始され、この裏チャンネル再生時間経過毎に裏チャンネル切替要求が生成されてチャンネル制御手段２０２に送出される。
【０２４２】
この裏チャンネル切替要求の生成処理は、第１ＣＭ検出手段１９においてＣＭ区間の終了時であるＣＭ終了時が検出されるまで続けられる。
【０２４３】
この裏チャンネル切替要求の生成処理が行われている状態のとき、またステップＳ５２の判断の結果、設定されている主視聴チャンネルおよび取得したジャンル情報が有効となる裏チャンネル指定情報がないと判断されたときは、第１ＣＭ検出手段１９では、第１映像音声信号処理手段１４で生成されている第１再生信号から、ＣＭ区間の終了時であるＣＭ終了時を検出するための監視が行われる（Ｓ５５）。
【０２４４】
ＣＭ終了時が検出されるまでの間（Ｓ５５の「NO」）にユーザにより放送受信再生装置３の電源がOFFにされると（Ｓ５６の「YES」）処理が終了される。
【０２４５】
電源がOFFにされていない状態で（Ｓ５６の「NO」）、チャンネル切替タイミング管理手段２０１で生成された裏チャンネル切替要求がチャンネル制御手段２０２で取得されると（Ｓ５７の「YES」）、ステップＳ５１に戻る。
【０２４６】
本実施形態においては、番組「S-CH1」の再生区間「S1-2」の出力が開始された時刻t20から裏チャンネル再生時間が経過した時刻t21になると、チャンネル切替タイミング管理手段２０１において裏チャンネル切替要求が生成されてチャンネル制御手段２０２に送出される。
【０２４７】
チャンネル制御手段２０２ではこの裏チャンネル切替要求が取得されたかＣＭ終了時が検出されるまで監視されており（Ｓ５７の「NO」）、裏チャンネル切替要求が取得されると（Ｓ５７の「YES」）、ステップＳ５１に戻り、再度裏チャンネル指定情報およびジャンル情報が取得され（Ｓ５１）、有効となる裏チャンネル指定情報があるか否かが判断される（Ｓ５２）。
【０２４８】
ここでは、裏チャンネル指定情報の（１）に基づいて主視聴チャンネルが「０」の場合のジャンルＡの裏チャンネルとしてチャンネル「１」とともに抽出されたチャンネル「４」に切り替える指示とともに、この裏チャンネル切替要求が第２放送選局手段１３に送出される。
【０２４９】
第２放送選局手段１３では、このチャンネル「４」で放送されている番組「S-CH4」の再生区間「S4-2」の圧縮された放送信号が第２映像音声信号処理手段１５で取得される。
【０２５０】
第２映像音声信号処理手段１５で取得された番組「S-CH4」の再生区間「S4-2」の圧縮された放送信号は、伸張されて第２再生信号が生成され信号切替手段１６に送出される。
【０２５１】
信号切替手段１６では引き続き第２再生信号が選択され、出力手段１７に送出される。
【０２５２】
出力手段１７では取得された番組「S-CH4」の再生区間「S4-2」の第２再生信号が表示信号に変換され、外部の表示装置に送信される（Ｓ５４）。
【０２５３】
以上のように時刻t21においてステップＳ５７、Ｓ５１の処理が行われることにより、第２放送選局手段１３で切り替えられた裏チャンネル「４」の番組「S-CH4」の再生区間「S4-2」が表示装置に出力される。
【０２５４】
ステップＳ５２において有効となる裏チャンネル指定情報がないと判断されたときは（Ｓ５２の「NO」）、ステップＳ５５に移り、ＣＭ終了時が検出されたか監視される。
【０２５５】
次に、時刻t21から裏チャンネル再生時間が経過する前に時刻t22になりＣＭ区間「CM1」の放送が終了すると、第１ＣＭ検出手段１９においてＣＭ終了時が検出される（Ｓ５５の「YES」）。
【０２５６】
第１ＣＭ検出手段１９でＣＭ終了時が検出されると、チャンネル切替タイミング管理手段２０１およびチャンネル制御手段２０２に送出される。
【０２５７】
チャンネル制御手段２０２でＣＭ終了時が取得されると、ステップＳ４５に戻り、信号切替手段１６で選択される再生信号を第２再生信号から第１信号に切り替えるための信号切替要求が生成され、信号切替手段１６に送出される。
【０２５８】
信号切替手段１６では、信号切替要求が取得されると選択する再生信号が第２再生信号から第１再生信号に切り替えられる。
【０２５９】
ここでは、第１放送選局手段１２ではＣＭ区間「CM1」になる前に設定された主視聴チャンネル「０」が選局されており、この主視聴チャンネル「０」で引き続き放送されている番組「M-CH0」の再生区間「M0-2」の圧縮された放送信号が第１映像音声信号処理手段１４で取得される。
【０２６０】
第１映像音声信号処理手段１４で取得された番組「M-CH0」の再生区間「M0-2」の圧縮された放送信号は伸張されて第１再生信号が生成され、信号切替手段１６に送出される（Ｓ４５）。
【０２６１】
信号切替手段１６では取得した信号切替要求に従って第１再生信号が選択され、出力手段１７に送出される。
【０２６２】
出力手段１７では取得された番組「M-CH0」の再生区間「M0-2」の第１再生信号が表示信号に変換され、外部の表示装置に送信される（Ｓ４６）。
【０２６３】
以上のように時刻t22においてステップＳ４５、Ｓ４６の処理が行われることにより、第１放送選局手段１２で選局されている主視聴チャンネル「０」の番組「M-CH0」の再生区間「M0-2」が表示装置に出力される。
【０２６４】
主視聴チャンネル「０」の番組「M-CH0」の再生区間「M0-2」の出力が開始されると、第１ＣＭ検出手段１９において、第１映像音声信号処理手段１４で生成されている第１再生信号からＣＭ区間の開始時であるＣＭ開始時を検出するための監視が行われる（Ｓ４７）。
【０２６５】
ＣＭ開始時が検出されるまでの間（Ｓ４７の「NO」）にユーザにより放送受信再生装置３の電源がOFFにされると（Ｓ４８の「YES」）処理が終了される。
【０２６６】
電源がOFFにされていなければ（Ｓ４８の「NO」）、第１番組情報解析手段２０５において第２放送選局手段１３から番組情報を取得し、裏チャンネルであるチャンネル「１」〜「５」の番組の再生区間ごとのジャンル情報が取得される（Ｓ４９）。
【０２６７】
この時点（時刻t23の直前）において取得された裏チャンネルの番組の各再生区間のジャンルは、チャンネル「１」の番組「S-CH1」はジャンルBであり、チャンネル「２」の番組「S-CH2」はジャンルＢであり、チャンネル「３」の番組「S-CH3」はジャンルＡであり、チャンネル「４」の番組「S-CH4」はジャンルＡであり、チャンネル「５」の番組「S-CH5」はジャンルＡである。
【０２６８】
ジャンル情報が取得された後、ここでは主視聴チャンネルの切替は取得されず（Ｓ５０の「NO」）、ステップＳ４７に戻りＣＭ開始時の検出が行われる。
【０２６９】
時刻t23になりＣＭ区間「CM2」の放送が開始されると、第１ＣＭ検出手段１９においてＣＭ開始時が検出される（Ｓ４７の「YES」）。
【０２７０】
第１ＣＭ検出手段１９でＣＭ開始時が検出されると、チャンネル切替タイミング管理手段２０１およびチャンネル制御手段２０２に送出される。
【０２７１】
チャンネル制御手段２０２では、ＣＭ開始時が取得されると、信号切替手段１６で選択される再生信号を第１再生信号から第２再生信号に切り替えるための信号切替要求が生成され、信号切替手段１６に送出される。
【０２７２】
信号切替手段１６では、信号切替要求が取得されると、選択する再生信号が第１再生信号から第２再生信号に切り替えられる。
【０２７３】
また、チャンネル制御手段２０２では、ＣＭ開始時が取得されると、裏チャンネル指定管理手段２０３から裏チャンネル指定情報が取得されるとともに第２放送選局手段１３から裏チャンネルのジャンル情報が取得される（Ｓ５１）。そして、設定されている主視聴チャンネルおよび取得したジャンル情報が有効となる裏チャンネル指定情報があるか否かが判断される（Ｓ５２）。
【０２７４】
ここでは、主視聴チャンネルが「０」に設定され、第１番組情報解析手段２０５から取得された裏チャンネルのジャンル情報のうち、チャンネル「３」、チャンネル「４」、およびチャンネル「５」のジャンル情報がジャンルＡであるため、裏チャンネル指定情報の（１）に基づいて再生される裏チャンネルは「３」、「４」および「５」が選択される。
【０２７５】
さらに、選択された裏チャンネル「３」、「４」および「５」のうち、まずチャンネル「３」が選択され、この裏チャンネル「３」は主視聴チャンネル「０」と異なるため、この裏チャンネル「３」で時刻t23の時点で放送されている番組「S-CH3」の再生区間「S3-3」の圧縮された放送信号が第２映像音声信号処理手段１５で取得される。
【０２７６】
第２映像音声信号処理手段１５で取得された番組「S-CH3」の再生区間「S3-3」の圧縮された放送信号は伸張されて第２再生信号が生成され、信号切替手段１６に送出される。
【０２７７】
信号切替手段１６では取得した信号切替要求に従って第２再生信号が選択され、出力手段１７に送出される。
【０２７８】
出力手段１７では取得された番組「S-CH3」の再生区間「S3-3」の第２再生信号が表示信号に変換され、外部の表示装置に送信される（Ｓ５４）。
【０２７９】
以上のように時刻t23においてステップＳ４７、Ｓ５１の処理が行われることにより、第２放送選局手段１３で選局されている裏チャンネル「３」の番組「S-CH3」の再生区間「S3-3」が表示装置に出力される。
【０２８０】
また、チャンネル切替タイミング管理手段２０１では、ＣＭ開始時が検出されると、予め設定された裏チャンネルの１チャンネルあたりの再生時間のカウントが開始され、この裏チャンネル再生時間経過毎に裏チャンネル切替要求が生成されてチャンネル制御手段２０２に送出される。
【０２８１】
以後、ＣＭ区間「CM１」のときの処理と同様に、ＣＭ区間「CM2」に裏チャンネル「４」および「５」に切り替えが行われ、時刻t26になりＣＭ区間「CM1」の放送が終了すると、第１ＣＭ検出手段１９においてＣＭ終了時が検出される（Ｓ５５の「YES」）。
【０２８２】
第１ＣＭ検出手段１９でＣＭ終了時が検出されると、第１放送選局手段１２でＣＭ区間「CM2」になる前に設定された主視聴チャンネル「０」で引き続き放送されている番組「M-CH0」の再生区間「M0-3」の圧縮された放送信号が第１映像音声信号処理手段１４で取得される。
【０２８３】
第１映像音声信号処理手段１４で取得された番組「M-CH0」の再生区間「M0-3」の圧縮された放送信号は伸張されて第１再生信号が生成され、信号切替手段１６に送出される（Ｓ４５）。
【０２８４】
信号切替手段１６では取得した信号切替要求に従って第１再生信号が選択され、出力手段１７に送出される。
【０２８５】
出力手段１７では取得された番組「M-CH0」の再生区間「M0-3」の第１再生信号が表示信号に変換され、外部の表示装置に送信される（Ｓ４６）。
【０２８６】
以上のように時刻t22においてステップＳ４５、Ｓ４６の処理が行われることにより、第１放送選局手段１２で選局されている主視聴チャンネル「０」の番組「M-CH0」の再生区間「M0-3」が表示装置に出力される。
【０２８７】
上記の処理中、第1実施形態および第２実施形態と同様に表示手段２１には、チャンネル制御手段２０２で取得した信号切替要求、主チャンネル切替要求、および裏チャンネル切替要求に基づいて、放送受信再生装置３の動作状態やユーザの操作内容が表示される。
【０２８８】
以上の本実施形態によれば、視聴している番組のＣＭ区間に予めユーザがチャンネルごとに指定したジャンルの裏チャンネルを出力することにより、ユーザは所望の裏チャンネルの番組を確認することができ、さらに効率的にＣＭ区間を利用することができる。
【０２８９】
本実施形態においては裏チャンネルで再生する番組における再生区間のジャンルは予めユーザにより設定しておいたが、これには限定されず、第１番組情報解析手段において第１放送選局手段から番組情報を取得して主視聴チャンネルの視聴履歴を作成し、この視聴履歴に基づいてユーザの好みのジャンルを解析して裏チャンネルで再生するジャンルを設定するようにしてもよい。
【０２９０】
《第４実施形態》
本発明の第４実施形態では、ユーザが視聴している主視聴チャンネルのＣＭ区間に、ＣＭが出力されていない複数の裏チャンネルを順次出力する放送受信再生装置について説明する。
【０２９１】
〈第４実施形態による放送受信再生装置４の構成〉
本発明の第４実施形態による放送受信再生装置４の構成を、図１２を参照して説明する。
【０２９２】
本実施形態による放送受信再生装置４の構成は、制御手段２０に裏チャンネル切替順管理手段２０６を有すること、および第２ＣＭ検出手段２２を有することの他は第１実施形態と同様であるため、詳細な説明は省略する。
【０２９３】
裏チャンネル切替順管理手段２０６は、ユーザにより設定された、主視聴チャンネルのＣＭ区間に出力する裏チャンネルの切替順を指定するための裏チャンネル切替順情報を記憶する。
【０２９４】
本実施形態においては、裏チャンネル切替順情報は、チャンネル「１」→チャンネル「２」→チャンネル「３」→チャンネル「４」→チャンネル「５」の順に設定され記憶されている。
【０２９５】
第２ＣＭ検出手段２２は、第２放送選局手段１３で受信され第２映像音声信号処理手段１５で生成された第２再生信号から、ＣＭ区間の開始時であるＣＭ開始時およびＣＭ区間の終了時であるＣＭ終了時を検出してチャンネル制御手段２０２に送出する。
【０２９６】
また、本実施形態においてチャンネル切替タイミング管理手段２０１で生成される裏チャンネル切り替え要求は、１回のＣＭ区間に２つのチャンネルが再生されるように設定されているものとする。
【０２９７】
〈第４実施形態による放送受信再生装置４の動作〉
本実施形態による放送受信再生装置４の動作について、図１３のフローチャートおよび図１４の説明図を参照して説明する。
【０２９８】
図１３のフローチャートにおいて、ステップＳ６１〜ステップＳ６６の処理は第１実施形態のステップＳ１〜Ｓ６と同様であるため、詳細な説明を省略する。
【０２９９】
本実施形態においては、図１４に示すように、ユーザにより指定された主視聴チャンネルは「０」であり、このチャンネルで放送されている番組を番組「M-CH0」とする。
【０３００】
この番組「M-CH0」は、再生区間「M0-1」、「M0-2」、「M0-3」、「M0-4」の間にＣＭ放送区間であるＣＭ区間「CM1」、「CM2」、「CM3」、「CM4」が挿入され、再生区間「M0-1」→ＣＭ区間「CM1」→再生区間「M0-2」→ＣＭ区間「CM2」→再生区間「M0-3」→ＣＭ区間「CM3」→再生区間「M0-4」→ＣＭ区間「CM4」の順に放送される。
【０３０１】
また、本実施形態において裏チャンネルはチャンネル「１」、「２」、「３」、「４」、「５」の５つであり、これらのチャンネルで放送されている番組をそれぞれ番組「S-CH1」、「S-CH2」、「S-CH3」、「S-CH4」、「S-CH5」とする。
【０３０２】
番組「M-CH0」の再生区間「M0-1」の開始〜ＣＭ区間「CM4」の終了までの間に、番組「S-CH1」は、再生区間「S1-1」→再生区間「S1-2」→再生区間「S1-3」→再生区間「S1-4」→再生区間「S1-5」の順に放送され、番組「S-CH2」は、再生区間「S2-1」→再生区間「S2-2」→再生区間「S2-3」→再生区間「S2-4」の順に放送され、番組「S-CH3」は、再生区間「S3-1」→ＣＭ区間「CM5」→再生区間「S3-2」→再生区間「S3-3」→再生区間「S3-4」の順に放送され、番組「S-CH4」は、再生区間「S4-1」→再生区間「S4-2」→再生区間「S4-3」の順に放送され、番組「S-CH5」は、再生区間「S5-1」→再生区間「S5-2」→再生区間「S5-3」の順に放送される。
【０３０３】
また、本実施形態においては、図１４に示すように、表示装置に主視聴チャンネル「０」の番組「M-CH0」の再生区間「M0-1」の出力が開始されたときを時刻t28とする。
【０３０４】
主視聴チャンネル「０」の番組「M-CH0」の再生区間「M0-1」の出力が開始されると、第１ＣＭ検出手段１９では、第１映像音声信号処理手段１４で生成されている第１再生信号から、ＣＭ区間の開始時であるＣＭ開始時を検出するための監視が行われる（Ｓ６７）。
【０３０５】
ＣＭ開始時が検出されるまでの間（Ｓ６７の「NO」）にユーザにより放送受信再生装置４の電源がOFFにされると（Ｓ６８の「YES」）処理が終了される。
【０３０６】
電源がOFFにされていなければ（Ｓ６８の「NO」）、ユーザにより主視聴チャンネルの変更が指定されユーザ制御手段１８で主視聴チャンネル切替要求が生成されると（Ｓ６９の「YES」）、ステップＳ６５に戻り、ユーザの所望の主視聴チャンネルに切り替えられ表示装置に表示される（Ｓ６５、Ｓ６６）。
【０３０７】
本実施形態においては、時刻t29になりＣＭ区間「CM1」の放送が開始されると、第１ＣＭ検出手段１９においてＣＭ開始時が検出される（Ｓ６７の「YES」）。
【０３０８】
第１ＣＭ検出手段１９でＣＭ開始時が検出されると、チャンネル切替タイミング管理手段２０１およびチャンネル制御手段２０２に送出される。
【０３０９】
チャンネル制御手段２０２では、ＣＭ開始時が取得されると、信号切替手段１６で選択される再生信号を第１再生信号から第２再生信号に切り替えるための信号切替要求が生成され、信号切替手段１６に送出される。
【０３１０】
また、チャンネル制御手段２０２では、ＣＭ開始時が取得されると、裏チャンネル切替順管理手段２０６から裏チャンネル切替順情報が取得される（Ｓ７０）。
【０３１１】
次に、チャンネル制御手段２０２で取得された裏チャンネル切替順情報により最初に再生されることが指定されているチャンネルが主視聴チャンネルと同じか否かが判定される（Ｓ７１）。
【０３１２】
ステップＳ７１の判断の結果、最初に再生されることが指定された裏チャンネルが主視聴チャンネルと異なる場合には（Ｓ７１の「NO」）、裏チャンネルが選択される。
【０３１３】
ここでは、裏チャンネル切替順情報により最初に再生されることが指定されているチャンネルはチャンネル「１」であり、主視聴チャンネル「０」と異なるため裏チャンネル「１」が選局される。
【０３１４】
さらに、チャンネル制御手段２０２では、第２ＣＭ検出手段２２においてこの裏チャンネル「１」の放送信号からＣＭ中であることが検出されたか否かが判断される（Ｓ７２）。
【０３１５】
時刻t29の時点で裏チャンネル「１」はＣＭ中ではないため（Ｓ７２の「NO」）、この裏チャンネル「１」で放送されている番組「S-CH1」の再生区間「S1-2」の圧縮された放送信号が第２映像音声信号処理手段１５で取得される。
【０３１６】
第２映像音声信号処理手段１５で取得された番組「S-CH1」の再生区間「S1-2」の圧縮された放送信号は伸張されて第２再生信号が生成され、信号切替手段１６に送出される。
【０３１７】
信号切替手段１６では取得した信号切替要求に従って第２再生信号が選択され、出力手段１７に送出される。
【０３１８】
出力手段１７では取得された番組「S-CH1」の再生区間「S1-2」の第２再生信号が表示信号に変換され、外部の表示装置に送信される（Ｓ７３）。
【０３１９】
以上のように時刻t29においてステップＳ６７、Ｓ７０の処理が行われることにより、第２放送選局手段１３で選局されている裏チャンネル「１」の番組「S-CH1」の再生区間「S1-2」が表示装置に出力される。
【０３２０】
また、ＣＭ開始時が検出されると、ＣＭ終了時検出までの間、電源がOFFにされなければ（Ｓ７４、Ｓ７５）、第１実施形態、第２実施形態、または第３実施形態と同様にチャンネル切替タイミング管理手段２０１で裏チャンネル切替要求の生成処理が行われる。
【０３２１】
本実施形態においては、時刻t30になると、チャンネル切替タイミング管理手段２０１において裏チャンネル切り替え要求が生成される。
【０３２２】
この裏チャンネル切り替え要求がチャンネル制御手段２０２で取得される（Ｓ７６）とステップＳ７０に戻り、取得した裏チャンネル切替順情報に従って（Ｓ７１）、２番目に出力されることが再生されているチャンネル「２」が選局される。
【０３２３】
さらに、時刻t30の時点でこの裏チャンネル「２」はＣＭ中ではないため（Ｓ７２の「NO」）裏チャンネル「２」に切り替えられ、番組「S-CH2」の再生区間「S2-2」が表示装置に出力される（Ｓ７３）。
【０３２４】
次に、時刻t31になりＣＭ区間「CM1」の放送が終了すると、第１ＣＭ検出手段１９においてＣＭ終了時が検出される（Ｓ７４の「YES」）。
【０３２５】
第１ＣＭ検出手段１９においてＣＭ終了時が検出されると、第１実施形態〜第３実施形態と同様に第１再生信号に切り替える処理が行われ（Ｓ６５）、番組「M-CH0」の再生区間「M0-2」の第１再生信号が表示信号に変換され、外部の表示装置に送信され、出力される（Ｓ６６）。
【０３２６】
主視聴チャンネル「０」の番組「M-CH0」の再生区間「M0-2」の出力が開始されると、第１ＣＭ検出手段１９において、第１映像音声信号処理手段１４で生成されている第１再生信号からＣＭ区間の開始時であるＣＭ開始時を検出するための監視が行われる（Ｓ６７）。
【０３２７】
時刻ｔ32になり、第１ＣＭ検出手段１９でＣＭ区間「CM2」のＣＭ開始時が検出されると（Ｓ６７の「YES」）、チャンネル切替タイミング管理手段２０１およびチャンネル制御手段２０２に送出され、再生信号が第１再生信号から第２再生信号に切り替えられる。
【０３２８】
また、チャンネル制御手段２０２では、ＣＭ開始時が取得されると、裏チャンネル切替順管理手段２０６から裏チャンネル切替順情報が取得され（Ｓ７０）、この裏チャンネル切替順情報により２番目に設定されているチャンネルまでは既に再生されたため、３番目に再生されることが指定されているチャンネル「３」が選択される。このチャンネル「３」は主視聴チャンネル「０」と異なるため裏チャンネル「３」が選局される（Ｓ７１の「NO」）。
【０３２９】
さらに、チャンネル制御手段２０２では、第２ＣＭ検出手段２２においてこの裏チャンネル「３」の放送信号からＣＭ中であることが検出されたか否かが判断される（Ｓ７２）。
【０３３０】
時刻t32の時点で裏チャンネル「３」はＣＭ中であるため（Ｓ７２の「YES」）、この裏チャンネル「３」は選局されず、ステップＳ７０に戻り、裏チャンネル切替順情報により４番目に再生されることが指定されているチャンネル「４」が選択される。このチャンネル「４」は主視聴チャンネル「０」と異なるため裏チャンネル「４」が選局される（Ｓ７１の「NO」）。
【０３３１】
さらに、チャンネル制御手段２０２では、第２ＣＭ検出手段２２においてこの裏チャンネル「４」の放送信号からＣＭ中であることが検出されたか否かが判断される（Ｓ７２）。
【０３３２】
時刻t32の時点で裏チャンネル「４」はＣＭ中ではないため（Ｓ７２の「NO」）、この裏チャンネル「４」で放送されている番組「S-CH4」の再生区間「S4-2」の第２再生信号が表示信号に変換されて外部の表示装置に送信され、出力される（Ｓ７３）。
【０３３３】
また、時刻t33になるとチャンネル切替タイミング管理手段２０１において裏チャンネル切り替え要求が生成され、時刻t30のときと同様の処理により、裏チャンネル切替順情報により５番目に再生されることが指定されているチャンネル「５」で放送されている番組「S-CH5」の再生区間「S5-2」の第２再生信号が表示信号に変換されて外部の表示装置に送信され、出力される（Ｓ７３）。
【０３３４】
次に、時刻t34になりＣＭ区間「CM2」の放送が終了すると、第１ＣＭ検出手段１９においてＣＭ終了時が検出される（Ｓ７４の「YES」）。
【０３３５】
ＣＭ終了時が検出されると第１再生信号に切り替える処理が行われ（Ｓ６５）、番組「M-CH0」の再生区間「M0-3」の第１再生信号が表示信号に変換され、外部の表示装置に送信され、出力される（Ｓ６６）。
【０３３６】
時刻ｔ35になり、第１ＣＭ検出手段１９でＣＭ区間「CM3」のＣＭ開始時が検出されると（Ｓ６７の「YES」）、チャンネル切替タイミング管理手段２０１およびチャンネル制御手段２０２に送出され、再生信号が第１再生信号から第２再生信号に切り替えられる。
【０３３７】
また、チャンネル制御手段２０２では、ＣＭ開始時が取得されると、裏チャンネル切替順管理手段２０６から裏チャンネル切替順情報が取得される（Ｓ７０）。
【０３３８】
ここで、ＣＭ区間「CM3」のＣＭ開始時が検出されたときに裏チャンネル「３」がＣＭ中であり再生されていないため、ここで再度チャンネル「３」が選択される。このチャンネル「３」は主視聴チャンネル「０」と異なるため裏チャンネル「３」が選局される（Ｓ７１の「NO」）。
【０３３９】
さらに、チャンネル制御手段２０２では、第２ＣＭ検出手段２２においてこの裏チャンネル「３」の放送信号からＣＭ中であることが検出されたか否かが判断される（Ｓ７２）。
【０３４０】
時刻t35の時点では裏チャンネル「３」はＣＭ中ではないため（Ｓ７２の「NO」）、この裏チャンネル「３」で放送されている番組「S-CH3」の再生区間「S3-3」の第２再生信号が表示信号に変換されて外部の表示装置に送信され、出力される（Ｓ７３）。
【０３４１】
また、時刻t33になるとチャンネル切替タイミング管理手段２０１において裏チャンネル切り替え要求が生成され、裏チャンネル切替順情報取得される（Ｓ７０）。
【０３４２】
ここでは、時刻t33の時点で既に裏チャンネル「５」まで再生されているため、最初に戻り、再度裏チャンネル「１」が選択され、裏チャンネル「１」で放送されている番組「S-CH1」の再生区間「S1-4」の第２再生信号が表示信号に変換されて外部の表示装置に送信され、出力される（Ｓ７３）。
【０３４３】
次に、時刻t37になりＣＭ区間「CM3」の放送が終了すると、第１ＣＭ検出手段１９においてＣＭ終了時が検出される（Ｓ７４の「YES」）。
【０３４４】
以後、同様にしてステップＳ６５〜Ｓ７３の処理が行われることにより、主視聴チャンネル「０」の番組「M-CH0」の再生区間「M0-4」→裏チャンネル「２」の番組「M-CH2」の再生区間「M2-4」が、表示装置に送信され、出力される。
【０３４５】
以上の本実施形態によれば、視聴している番組のＣＭ区間に予めユーザが指定した順序で複数の裏チャンネルの放送を出力することにより、ユーザは所望の裏チャンネルの番組を確認することができ、効率的にＣＭ区間を利用することができる。
【０３４６】
また、出力しようとする裏チャンネルがＣＭ中のときはこのチャンネルをとばして次のチャンネルの放送を出力するため、確実に裏チャンネルの放送番組を確認することができる。
【０３４７】
また、ユーザの要望によって、上記の第1実施形態〜第４実施形態の制御手段の機能を任意に組み合わせることにより、さらに詳細に裏チャンネルの出力制御を行うことも可能である。
【０３４８】
《第５実施形態》
本発明の第５実施形態では、ユーザが視聴しているテレビジョン放送の主視聴チャンネルのＣＭ区間に、予めユーザが設定した複数のコンテンツを順次出力する放送受信再生装置について説明する。
【０３４９】
〈第５実施形態による放送受信再生装置５の構成〉
本発明の第５実施形態による放送受信再生装置５の構成を、図１５を参照して説明する。
【０３５０】
本実施形態による放送受信再生装置５は、アンテナ１１と、第１放送選局手段１２と、第１映像音声信号処理手段１４と、信号切替手段１６と、出力手段１７と、ユーザ制御手段１８と、第１ＣＭ検出手段１９と、制御手段２０と、表示手段２１と、データ蓄積手段２３と、第３映像音声信号処理手段２４とを有する。
【０３５１】
アンテナ１１、第１放送選局手段１２、第１映像音声信号処理手段１４、信号切替手段１６、出力手段１７、ユーザ制御手段１８、第１ＣＭ検出手段１９、および表示手段２１の機能については第１実施形態と同様であるため詳細な説明は省略する。
【０３５２】
制御手段２０は、チャンネル制御手段２０２と、置換データ指定手段２０７と、データ検索手段２０８と、データ表示時間管理手段２０９とを有する。
【０３５３】
チャンネル制御手段２０２は、第１ＣＭ検出手段１９でＣＭ開始時が検出されたときに信号切替手段１６で選択される再生信号を第１再生信号から後述する第３再生信号に切り替えるための信号切替要求を生成し、第１ＣＭ検出手段１９でＣＭ終了時が検出されたときに信号切替手段１６で選択される再生信号を第３再生信号から第１再生信号に切り替えるための信号切替要求を生成して信号切替手段１６に送出する。
【０３５４】
また、チャンネル制御手段２０２は、ユーザ制御手段１８から主視聴チャンネル切替要求を取得したときに、第１放送選局手段１２に送出する。
【０３５５】
置換データ指定手段２０７は、予めユーザにより設定された、放送番組のＣＭ区間のデータと置換するコンテンツに関する情報を、放送番組の番組情報（チャンネル情報、放送時間、番組タイトルなど）に関連付けて置換データ指定情報として記憶する。
【０３５６】
本実施形態においは、番組「BC」に対してデータ蓄積手段２３内の写真「１」〜「７」が関連付けられている情報が記憶されているものとする。
【０３５７】
データ検索手段２０８は、第１ＣＭ検出手段１９で検出されたＣＭ開始時を取得すると、置換データ指定手段２０７から受信中の放送番組に関連するコンテンツに関する情報を取得し、データ蓄積手段２３からこの情報に対応するコンテンツデータを検索する。
【０３５８】
データ表示時間管理手段２０９は、予め設定された１つのコンテンツを出力するコンテンツ出力時間（例えば１０秒）を計測する出力時間管理タイマーであり、このコンテンツ出力時間を経過するとコンテンツデータ切替要求を生成してデータ検索手段２０８に送出する。
【０３５９】
データ蓄積手段２３は、主視聴チャンネルのＣＭ区間中にＣＭデータと置換するための写真などの静止画像のコンテンツデータを複数記録するものであり、ハードディスク、光ディスク、メモリカード、半導体メモリなどを用いることができる。
【０３６０】
第３映像音声信号処理手段２４は、データ蓄積手段２３に記録されている静止画のコンテンツをデータ検索手段２０８を経由して取得し、再生するための第３再生信号を生成する処理を行う。
【０３６１】
〈第５実施形態による放送受信再生装置５の動作〉
本実施形態による放送受信再生装置５の動作について、図１６のフローチャートおよび図１７の説明図を参照して説明する。
【０３６２】
まず、ユーザの操作により放送受信再生装置５の電源が投入されると（Ｓ８１）、アンテナ１１において放送局から送信される放送電波が受信され、第１放送選局手段１２においてデフォルトで設定されているチャンネルが選局される。
【０３６３】
第１放送選局手段１２においてデフォルトで設定されているチャンネルが選局されると、第１映像音声信号処理手段１４においてこの選局されたチャンネルの圧縮された放送信号が放送電波から取得される。
【０３６４】
さらに、第１映像音声信号処理手段１４において取得された圧縮された放送信号が伸張され、第１再生信号が生成される（Ｓ８２）。
【０３６５】
次に、信号切替手段１６において、第１映像音声信号処理手段１４で生成された第１再生信号が取得され出力手段１７に送出される。
【０３６６】
出力手段１７において取得された第１再生信号は、表示させるための表示信号に変換され、外部の表示装置に送信される（Ｓ８３）。
【０３６７】
外部の表示装置に送信された第１再生信号が表示された状態で、ユーザの操作によりリモコンなどから主視聴チャンネルが指定されると、指定された主視聴チャンネルへの切替を要求する主視聴チャンネル切替要求がユーザ制御手段１８において生成される（Ｓ８４）。
【０３６８】
ここでは、図１７に示すように、ユーザにより指定された主視聴チャンネルの番組「BC」は、再生区間「BCPro1」、「BCPro2」、「BCPro3」の間にＣＭ放送区間であるＣＭ区間「CM1」、「CM2」が挿入され、再生区間「BCPro1」→ＣＭ区間「CM1」→再生区間「BCPro2」→ＣＭ区間「CM2」→再生区間「BCPro3」の順に放送される。
【０３６９】
ステップＳ８４においてユーザ制御手段１８で主視聴チャンネル切替要求が生成されるとチャンネル制御手段２０２に送出され、さらにチャンネル制御手段２０２から第１放送選局手段１２に送出される。
【０３７０】
第１放送選局手段１２において取得された主視聴チャンネル切替要求に従って、選局されるチャンネルが切り替えられる。
【０３７１】
第１放送選局手段１２において選局される主視聴チャンネルが切り替えられると、第１映像音声信号処理手段１４においてこの選局された主視聴チャンネルの放送中の番組「BC」の再生区間「BCPro1」の圧縮された放送信号が放送電波から取得される。
【０３７２】
さらに、第１映像音声信号処理手段１４において取得された番組「BC」の再生区間「BCPro1」の圧縮された放送信号が伸張され、番組「BC」の再生区間「BCPro1」の第１再生信号が生成される（Ｓ８５）。
【０３７３】
信号切替手段１６では、引き続き第１再生信号が取得され出力手段１７に送出される。
【０３７４】
出力手段１７において取得された番組「BC」の再生区間「BCPro1」の第１再生信号は、表示させるための表示信号に変換され、外部の表示装置に送信される（Ｓ８６）。
【０３７５】
以上のようにステップＳ８４〜Ｓ８６の処理が行われることにより、第１放送選局手段１２でユーザに指定された主視聴チャンネルが選局され、このチャンネルの番組「BC」の再生区間「BCPro1」が表示装置に出力される。
【０３７６】
図１７に示すように、表示装置に主視聴チャンネルの番組「BC」の再生区間「BCPro1」の出力が開始されたときを時刻t40とする。
【０３７７】
主視聴チャンネルの番組「BC」の再生区間「BCPro1」の出力が開始されると、第１ＣＭ検出手段１９では、第１映像音声信号処理手段１４で生成されている第１再生信号から、ＣＭ区間の開始時であるＣＭ開始時を検出するための監視が行われる（Ｓ８７）。
【０３７８】
ＣＭ開始時が検出されるまでの間（Ｓ８７の「NO」）にユーザにより放送受信再生装置５の電源がOFFにされると（Ｓ８８の「YES」）処理が終了される。
【０３７９】
電源がOFFにされていない状態で（Ｓ８８の「NO」）、ユーザにより主視聴チャンネルの変更が指定されユーザ制御手段１８で主視聴チャンネル切替要求が生成されると（Ｓ８９の「YES」）、ステップＳ８５に戻り、ユーザの所望の主視聴チャンネルに切り替えられ表示装置に表示される（Ｓ８５、Ｓ８６）。
【０３８０】
本実施形態においては、時刻t40になりＣＭ区間「CM1」の放送が開始されると、第１ＣＭ検出手段１９においてＣＭ開始時が検出される（Ｓ８７の「YES」）。
【０３８１】
第１ＣＭ検出手段１９でＣＭ開始時が検出されると、チャンネル制御手段２０２およびデータ検索手段２０８に送出される。
【０３８２】
データ検索手段２０８では、ＣＭ開始時が取得されると、第１再生信号として受信されている放送番組に関連付けられたコンテンツの情報が置換データ指定手段２０７から取得される（Ｓ９０）。
【０３８３】
ここでは、受信中の番組「BC」に関連付けられたコンテンツの情報として、写真「１」〜「７」の情報が取得される。
【０３８４】
データ検索手段２０８において番組「BC」に関連付けられたコンテンツの情報として、写真「１」〜「７」の情報が取得されると、まず最初のコンテンツである写真「１」のコンテンツデータがデータ蓄積手段２３から取得され、第３映像音声信号処理手段２４に送出される（Ｓ９１）。
【０３８５】
第３映像音声信号処理手段２４では、写真「１」のコンテンツデータが取得されると、再生するための第３再生信号が生成され信号切り替え手段１６に送出される。
【０３８６】
また、チャンネル制御手段２０２では、ＣＭ開始時が取得されると、信号切替手段１６で選択される再生信号を第１再生信号から第３再生信号に切り替えるための信号切替要求が生成され、信号切替手段１６に送出される。
【０３８７】
信号切替手段１６では、信号切替要求が取得されると、選択する再生信号が第１再生信号から第３再生信号に切り替えられ、この第３再生信号が出力手段１７に送出される。
【０３８８】
出力手段１７では取得された写真「１」の第３再生信号が表示信号に変換され、外部の表示装置に送信される（Ｓ９２）。
【０３８９】
以上のように時刻t41においてステップＳ８７、Ｓ９０、Ｓ９１、Ｓ９２の処理が行われることにより、データ蓄積手段２３に記憶されている写真「１」が表示装置に出力される。
【０３９０】
また、データ検索手段２０８から写真「１」のコンテンツデータが送出されると、データ表示時間管理手段２０９において予め設定されているコンテンツ出力時間を計測する出力時間管理タイマーが開始される（Ｓ９３）。
【０３９１】
また、第１ＣＭ検出手段１９では、第１映像音声信号処理手段１４で生成されている第１再生信号から、ＣＭ区間の終了時であるＣＭ終了時を検出するための監視が行われる（Ｓ９４）。
【０３９２】
ＣＭ終了時が検出されるまでの間（Ｓ９４の「NO」）にユーザにより放送受信再生装置５の電源がOFFにされると（Ｓ９５の「YES」）処理が終了される。
【０３９３】
電源がOFFにされていない状態で（Ｓ９５の「NO」）、ステップＳ９３で開始された出力時間管理タイマーにおいてコンテンツ出力時間が経過したことが認識される（Ｓ９６の「YES」）と、コンテンツデータ切替要求が生成されてデータ検索手段２０８に送出される（Ｓ９７）。
【０３９４】
このコンテンツデータ切替要求の生成処理は、第１ＣＭ検出手段１９においてＣＭ区間の終了時であるＣＭ終了時が検出されるまで続けられる（Ｓ９６の「NO」）。
【０３９５】
データ表示時間管理手段２０９で生成されたコンテンツデータ切替要求がデータ検索手段２０８で取得されると、ステップＳ９０に戻り、切り替えられたコンテンツデータから生成された再生信号が表示装置に表示される（Ｓ９０）。
【０３９６】
本実施形態においては、写真「１」の出力が開始された時刻t41からコンテンツデータ出力時間が経過した時刻t42になると、データ表示時間管理手段２０９においてコンテンツデータ切替要求が生成されてデータ検索手段２０８に送出される。
【０３９７】
データ検索手段２０８ではコンテンツデータ切替要求が取得されると（Ｓ９７）、ステップＳ９０に戻り、置換データ指定手段２０７から取得した番組「BC」に関連付けられたコンテンツの情報である写真「１」〜「７」のうち、２番目のコンテンツである写真「２」のコンテンツデータがデータ蓄積手段２３から取得され、第３映像音声信号処理手段２４に送出される（Ｓ９１）。
【０３９８】
第３映像音声信号処理手段２４では、写真「２」のコンテンツデータが取得されると、このコンテンツデータから再生するための第３再生信号が生成され信号切り替え手段１６に送出される。
【０３９９】
信号切替手段１６では、引き続き第３再生信号が選択され、この第３再生信号が出力手段１７に送出される。
【０４００】
出力手段１７では取得された写真「２」の第３再生信号が表示信号に変換され、外部の表示装置に送信される（Ｓ９２）。
【０４０１】
以上のように時刻t42においてステップＳ８７、Ｓ９０、Ｓ９１、Ｓ９２の処理が行われることにより、データ蓄積手段２３に記憶されている写真「２」が表示装置に出力される。
【０４０２】
同様にして、時刻t43、t44が到来すると、時刻t42のときと同じ処理が行われ、データ表示時間管理手段２０９においてコンテンツ切り替え要求が生成されて写真「３」、写真「４」の順に所定時間出力される。
【０４０３】
次に、時刻t45になりＣＭ区間「CM1」の放送が終了すると、第１ＣＭ検出手段１９においてＣＭ終了時が検出される（Ｓ９４の「YES」）。
【０４０４】
第１ＣＭ検出手段１９においてＣＭ終了時が検出されると、第１実施形態〜第４実施形態と同様に第１再生信号に切り替える処理が行われ（Ｓ８５）、番組「M-CH0」の再生区間「M0-2」の第１再生信号が表示信号に変換され、外部の表示装置に送信され、出力される（Ｓ８６）。
【０４０５】
主視聴チャンネル「０」の番組「M-CH0」の再生区間「M0-2」の出力が開始されると、第１ＣＭ検出手段１９において、第１映像音声信号処理手段１４で生成されている第１再生信号からＣＭ区間の開始時であるＣＭ開始時を検出するための監視が行われ（Ｓ８７）、ステップＳ８８〜Ｓ９７の処理が行われることによりＣＭ区間「CM2」のときに写真「５」〜「７」が表示装置に出力される。
【０４０６】
以上の本実施形態によれば、視聴している番組のＣＭ区間に予めユーザが指定したコンテンツを出力することにより、効率的にＣＭ区間を利用することができる。
【０４０７】
本実施形態においては、主視聴チャンネルの放送番組のＣＭ中に出力させるコンテンツは静止画像のみの場合について説明したが、これには限定されず、静止画像と音楽やアフレコ音声などの音声データとを組み合わせて出力するようにしてもよい。
【０４０８】
例えば、単語を表示しているときにこの単語の発音を音声で出力することで、ＣＭ時間を語学学習に利用することも可能である。
【０４０９】
また、本実施形態においてデータ蓄積手段は放送受信再生装置に内蔵されている場合について説明したが、放送受信再生装置に接続された外部装置であってもよい。
【０４１０】
《第６実施形態》
本発明の第６実施形態では、ユーザが視聴しているテレビジョン放送の主視聴チャンネルのＣＭ区間に、ユーザ設定した複数のコンテンツの画像データを解析しながら順次出力する放送受信再生装置について説明する。
【０４１１】
〈第６実施形態による放送受信再生装置６の構成〉
本発明の第６実施形態による放送受信再生装置６の構成を、図１８を参照して説明する。
【０４１２】
本実施形態による放送受信再生装置６の構成は、画像解析手段２５とデータ再整形手段２６とを有する他は第５実施形態と同様であるため、詳細な説明は省略する。
【０４１３】
画像解析手段２５は、データ蓄積手段２３に記録されている静止画像のコンテンツデータの中から次に出力する複数のコンテンツデータを取得し、画像のピンボケの検出および類似画像の検出を行う。
【０４１４】
データ再整形手段２６は、画像解析手段２５でピンボケが検出された画像が出力されないようにするとともに、類似画像として検出された複数のコンテンツデータを一画面上に同時に出力させるように再整形処理を施す。
【０４１５】
また、本実施形態において置換データ指定手段２０７には、番組「BC」に対してデータ蓄積手段２３内の写真「Ｐ１」〜「Ｐ１６」が関連付けられている情報が記憶されているものとする。
【０４１６】
〈第６実施形態による放送受信再生装置６の動作〉
本実施形態による放送受信再生装置６の動作について、図１９のフローチャートおよび図２０の説明図を参照して説明する。
【０４１７】
図１９のフローチャートにおいて、ステップＳ１０１〜ステップＳ１０８の処理は第５実施形態のステップＳ８１〜Ｓ８８と同様であるため、詳細な説明を省略する。
【０４１８】
ＣＭ開始時が検出されなく、ステップＳ８８において電源がOFFにされていないときは（Ｓ８８の「NO」）、データ検索手段２０８において第１再生信号として受信されている放送番組に関連付けられたコンテンツの情報が、次のＣＭ区間で出力するコンテンツデータの情報として置換データ指定手段２０７から取得される（Ｓ１０９）。
【０４１９】
ここでは、受信中の番組「BC」に関連付けられたコンテンツの情報として、写真「Ｐ１」〜「Ｐ１６」の情報が取得される。
【０４２０】
データ検索手段２０８において番組「BC」に関連付けられたコンテンツの情報として、写真「Ｐ１」〜「Ｐ１６」の情報が取得されると、これらのコンテンツデータがデータ蓄積手段２３の中から検索され、画像解析手段２５に送出される。
【０４２１】
画像解析手段２５では、取得された写真「Ｐ１」〜「Ｐ１６」の画像が解析され、ピンボケ画像の検出および類似画像の検出が行われる（Ｓ１１０）。
【０４２２】
次に、データ再整形手段２６により、画像解析手段２５でピンボケ画像として検出されたコンテンツデータが出力されないようにするとともに、類似画像として検出された複数のコンテンツデータを一画面上に同時に出力させるように、データ蓄積手段２３内の次のＣＭ区間で出力するコンテンツデータに再整形処理が施される（Ｓ１１１）。
【０４２３】
本実施形態においては、写真「Ｐ１」〜「Ｐ４」が類似画像として検出され、写真「Ｐ７」、「Ｐ１３」がピンボケ画像として検出され、写真「Ｐ１０」〜「Ｐ１２」および「Ｐ１４」が類似画像として検出され、写真「Ｐ１５」および「Ｐ１６」が類似画像として検出されている。
【０４２４】
そのため、写真「Ｐ１」〜「Ｐ４」が一画面上に出力され、写真「Ｐ７」、「Ｐ１３」が出力させるコンテンツから削除され、写真「Ｐ１０」〜「Ｐ１２」および「Ｐ１３」が一画面上に出力され、写真「Ｐ１５」および「Ｐ１６」が一画面上に出力されるように、データ蓄積手段２３内のコンテンツデータに再整形処理が施される。
【０４２５】
ここで、ユーザの操作により主視聴チャンネルの切替要求がチャンネル制御手段２０２で取得されれば（Ｓ１１２の「YES」）ステップＳ１０５に戻り再度第１再生信号が生成され、主視聴チャンネルの切替要求が取得されなければ（Ｓ１１２の「NO」）ステップＳ１０７に戻りＣＭ開始時の検出が監視される。
【０４２６】
時刻t52になり、ステップＳ１０７において第１ＣＭ検出手段１９でＣＭ開始時が検出されると、チャンネル制御手段２０２およびデータ検索手段２０８に送出される。
【０４２７】
データ検索手段２０８では、ＣＭ開始時が取得されると、第１再生信号として受信されている放送番組に関連付けられたコンテンツの情報が置換データ指定手段２０７から取得される（Ｓ１１３）。
【０４２８】
データ検索手段２０８においては、置換データ指定手段２０７から取得された情報に基づいて、データ蓄積手段２３から再整形処理が施されたコンテンツデータが取得され、第３映像音声信号処理手段２４に送出される（Ｓ１１４）。
【０４２９】
以降のステップＳ１１５〜Ｓ１２０の処理は、第５実施形態におけるステップＳ９２〜Ｓ９７の処理と同様のため、詳細な説明は省略する。
【０４３０】
以上の処理が行われることにより、図２０に示すように、写真「Ｐ１」〜「Ｐ４」が一画面上に同時に表示され（画面Ｄ１）、写真「Ｐ１０」〜「Ｐ１２」および「Ｐ１３」が一画面上に同時に表示され（画面Ｄ６）、写真「Ｐ１５」および「Ｐ１６」が一画面上に同時に表示される（画面Ｄ７）。また、写真「Ｐ７」、「Ｐ１３」は出力されるコンテンツから削除されているため、表示されない。
【０４３１】
以上の本実施形態によれば、視聴している番組のＣＭ区間に、予めユーザが指定した複数のコンテンツの画像データを効率良く出力することにより、さらにＣＭ区間を有効に利用することができる。
【０４３２】
《第７実施形態》
本発明の第７実施形態では、ユーザが視聴しているテレビジョン放送の主視聴チャンネルのＣＭ区間に、予めユーザが設定した動画のコンテンツデータを出力する放送受信再生装置について説明する。
【０４３３】
〈第７実施形態による放送受信再生装置７の構成〉
本発明の第７実施形態による放送受信再生装置７の構成を、図２１を参照して説明する。
【０４３４】
本実施形態による放送受信再生装置７の構成は、制御手段２０がチャンネル制御手段２０２と、置換データ指定手段２０７と、データ検索手段２０８と、再生位置管理手段２１０とを有すること、および第３ＣＭ検出手段２７と、第３再生信号編集手段２８とを有することの他は第５実施形態と同様であるため、詳細な説明は省略する。
【０４３５】
また、制御手段２０内のチャンネル制御手段２０２、置換データ指定手段２０７、およびデータ検索手段２０８の機能は第５実施形態と同様であるため詳細な説明は省略する。
【０４３６】
再生位置管理手段２１０は、主視聴チャンネルのＣＭ区間に出力する動画のコンテンツデータの次回の再生開始位置を記憶する。
【０４３７】
第３ＣＭ検出手段２７は、第３映像音声信号処理手段２４で生成された第３再生信号から、ＣＭ区間を検出する。
【０４３８】
第３再生信号編集手段２８は、第３映像音声信号処理手段２４で生成された第３再生信号から、第３ＣＭ検出手段２７で検出されたＣＭ区間を除外する編集を行う。
【０４３９】
また、本実施形態においては、置換データ指定手段２０７には番組「BC」の再生区間「BCPro1」に動画「M1」が関連付けられ、再生区間「BCPro2」〜「BCPro4」には動画「M3」が関連付けられているものとする。
【０４４０】
また、本実施形態においては、データ蓄積手段２３には主視聴チャンネルのＣＭ区間中にＣＭデータと置換するためのデータとして動画「M1」〜「Mn」のコンテンツデータが記録されている。
【０４４１】
〈第７実施形態による放送受信再生装置７の動作〉
本実施形態による放送受信再生装置７の動作について、図２２のフローチャートおよび図２３の説明図を参照して説明する。
【０４４２】
図２２のフローチャートにおいて、ステップＳ１３１〜ステップＳ１３９の処理は第５実施形態のステップＳ８１〜Ｓ８９と同様であるため、詳細な説明を省略する。
【０４４３】
本実施形態においては、図２３に示すように、ユーザにより指定された主視聴チャンネルの番組「BC」は、再生区間「BCPro1」、「BCPro2」、「BCPro3」、「BCPro4」の間にＣＭ放送区間であるＣＭ区間「CM1」、「CM2」、「CM3」が挿入され、再生区間「BCPro1」→ＣＭ区間「CM1」→再生区間「BCPro2」→ＣＭ区間「CM2」→再生区間「BCPro3」→ＣＭ区間「CM3」→再生区間「BCPro4」の順に放送される。
【０４４４】
図２３に示すように、表示装置に主視聴チャンネルの番組「BC」の再生区間「BCPro1」の出力が開始されたときを時刻t62とし、時刻t63になりＣＭ区間「CM1」の放送が開始されると、第１ＣＭ検出手段１９においてＣＭ開始時が検出される（Ｓ１３７の「YES」）。
【０４４５】
第１ＣＭ検出手段１９でＣＭ開始時が検出されると、チャンネル制御手段２０２およびデータ検索手段２０８に送出される。
【０４４６】
データ検索手段２０８では、放送信号のＣＭ開始時が取得されると、第１再生信号として受信されている放送番組に関連付けられたコンテンツの情報が置換データ指定手段２０７から取得される（Ｓ１４０）。
【０４４７】
ここでは、受信中の番組「BC」の再生区間「BCPro1」に関連付けられたコンテンツの情報として、動画「M1」の情報が取得される。
【０４４８】
データ検索手段２０８において、番組「BC」の再生区間「BCPro1」に関連付けられたコンテンツの情報として動画「M1」の情報が取得されると、この動画「M1」のコンテンツデータがデータ蓄積手段２３から取得される（Ｓ１４１）。
【０４４９】
データ検索手段２０８において、動画「M1」のコンテンツデータがデータ蓄積手段２３から取得されると、このコンテンツデータの再生開始位置が再生位置管理手段２１０から取得され、この再生開始位置から始まる再生区間「M1-n」のコンテンツデータが第３映像音声信号処理手段２４に送出される。
【０４５０】
第３映像音声信号処理手段２４では、動画「M1」の再生区間「M1-n」のコンテンツデータが取得されると、再生するための第３再生信号が生成される。
【０４５１】
第３映像音声信号処理手段２４で動画「M1」の再生区間「M1-n」第３再生信号が生成されると、第３ＣＭ検出手段２７において第３再生信号から動画「M1」のＣＭ区間を検出するための監視が行われる（Ｓ１４２）。
【０４５２】
ここでは、ＣＭ区間は検出されないためそのまま動画「M1」の再生区間「M1-n」のコンテンツデータが信号切り替え手段１６に送出される。
【０４５３】
また、チャンネル制御手段２０２では、放送信号のＣＭ開始時が取得されると、信号切替手段１６で選択される再生信号を第１再生信号から第３再生信号に切り替えるための信号切替要求が生成され、信号切替手段１６に送出される。
【０４５４】
信号切替手段１６では、信号切替要求が取得されると、選択する再生信号が第１再生信号から第３再生信号に切り替えられ、この第３再生信号が出力手段１７に送出される。
【０４５５】
出力手段１７では取得された動画「M1」の再生区間「M1-n」の第３再生信号が表示信号に変換され、外部の表示装置に送信される（Ｓ１４３）。
【０４５６】
以上のように時刻t63においてステップＳ１３７、Ｓ１４０〜Ｓ１４３の処理が行われることにより、データ蓄積手段２３に記憶されている動画「M1」の再生区間「M1-n」が表示装置に出力される。
【０４５７】
また、第１ＣＭ検出手段１９では、第１映像音声信号処理手段１４で生成されている第１再生信号から、放送信号のＣＭ区間の終了時であるＣＭ終了時を検出するための監視が行われる（Ｓ１４４）。
【０４５８】
ＣＭ終了時が検出されるまでの間（Ｓ１４４の「NO」）にユーザにより放送受信再生装置７の電源がOFFにされると（Ｓ１４５の「YES」）処理が終了される。
【０４５９】
電源がOFFにされていなければ（Ｓ１４５の「NO」）、ステップＳ１４０に戻り、引き続き動画「M1」の再生区間「M1-n」が表示装置に送信されるとともに、放送信号のＣＭ終了時を検出するための監視が続けられる。
【０４６０】
次に、時刻t64になりＣＭ区間「CM1」の放送が終了すると、第１ＣＭ検出手段１９においてＣＭ終了時が検出される（Ｓ１４４の「YES」）。
【０４６１】
第１ＣＭ検出手段１９においてＣＭ終了時が検出されると、再生位置管理手段２１０に記憶されている動画「M1」の再生区間「M1-n」の次回の再生開始位置がデータ検索手段２０８により更新され（Ｓ１４６）、さらに第１実施形態〜第６実施形態と同様に第１再生信号に切り替える処理が行われて番組「BC」の再生区間「BCPro2」が表示信号に出力される（Ｓ１３５、Ｓ１３６）。
【０４６２】
以降も同様にしてステップＳ１３７〜Ｓ１４６の処理が行われることにより、図２３に示すように、放送信号のＣＭ区間「CM2」、「CM3」に、番組「BC」の再生区間「BCPro2」〜「BCPro4」に関連付けられた動画「M3」のコンテンツデータに置換され、表示装置に出力される。
【０４６３】
この際、動画「M3」にはＣＭ区間「CM6」が含まれているため、動画「M3」の再生区間「M3-2」が終了した時点で第３ＣＭ検出手段２７においてＣＭ区間が検出され（Ｓ１４４）、第３再生信号編集手段２８においてＣＭ区間のスキップ処理が行われる（Ｓ１４７）。
【０４６４】
第３再生信号編集手段２８においてＣＭ区間のスキップ処理が行われて編集された動画「M3」のコンテンツデータは、信号切替手段１６を経由して、再生区間「M3-2」の次の再生区間「M3-3」が表示装置に出力される（Ｓ１４３）。
【０４６５】
以上の本実施形態によれば、視聴している番組のＣＭ区間に予めユーザが指定した動画のコンテンツをＣＭ区間を除外して出力することにより、効率的にＣＭ区間を利用することができる。
【０４６６】
また、本実施形態により、例えば子供向けのアニメ番組のＣＭ区間に学習コンテンツを自動的に表示させ、子供にさりげなく学習コンテンツを視聴させるような利用方法も可能である。
【０４６７】
《第８実施形態》
本発明の第８実施形態では、ユーザが視聴しているテレビジョン放送の主視聴チャンネルのＣＭ区間に、予めユーザが設定した動画のコンテンツデータを出力する放送受信再生装置について説明する。
【０４６８】
〈第８実施形態による放送受信再生装置８の構成〉
本発明の第８実施形態による放送受信再生装置８の構成を、図２４を参照して説明する。
【０４６９】
本実施形態による放送受信再生装置８の構成は、制御手段２０に次回再生開始位置調整手段２１１を有すること、および音声データ解析手段２９を有することの他は第７実施形態と同様であるため、詳細な説明は省略する。
【０４７０】
次回再生開始位置調整手段２１１は、後述する音声データ解析手段２９から取得するＣＭ終了時の動画コンテンツデータの音声データレベル（V）が予め設定された閾値（Vth）を超えるときは、台詞の途中など次回の再生開始位置として適当ではない位置であると判断して、この音声データレベルが閾値（Vth）を超えないところまで戻った動画コンテンツデータの位置を次回の再生開始位置とし、音声データレベルが予め設定された閾値（Vth）を超えないときは再生開始位置として適当であると判断して、このＣＭ終了時の位置を次回の再生開始位置として、再生位置管理手段２１０に送出する。
【０４７１】
音声データ解析手段２９は、ＣＭ終了時が検出された時点およびその前後の所定範囲の第３再生信号の音声データを取得して音声データレベル（V）を解析して次回再生開始位置調整手段２１１に送出する。
【０４７２】
また、本実施形態においては、置換データ指定手段２０７には番組「BC」の再生区間「BCPro1」〜「BCPro4」には動画「M1」が関連付けられているものとする。
【０４７３】
また、本実施形態においては、データ蓄積手段２３には主視聴チャンネルのＣＭ区間中にＣＭデータと置換するためのデータとして動画「M1」〜「Mn」のコンテンツデータが記録されている。
【０４７４】
〈第８実施形態による放送受信再生装置８の動作〉
本実施形態による放送受信再生装置８の動作について、図２５のフローチャートおよび図２６の説明図を参照して説明する。
【０４７５】
図２２のフローチャートにおいて、ステップＳ１５１〜ステップＳ１６４の処理は第７実施形態のステップＳ１３１〜Ｓ１４４と同様であるため、詳細な説明を省略する。
【０４７６】
本実施形態においては、図２６に示すように、ユーザにより指定された主視聴チャンネルの番組「BC」は、再生区間「BCPro1」、「BCPro2」、「BCPro3」、「BCPro4」の間にＣＭ放送区間であるＣＭ区間「CM1」、「CM2」、「CM3」が挿入され、再生区間「BCPro1」→ＣＭ区間「CM1」→再生区間「BCPro2」→ＣＭ区間「CM2」→再生区間「BCPro3」→ＣＭ区間「CM3」→再生区間「BCPro4」→ＣＭ区間「CM4」の順に放送される。
【０４７７】
図２６に示すように、表示装置に主視聴チャンネルの番組「BC」の再生区間「BCPro1」の出力が開始されたときを時刻t71とし、時刻t72になりＣＭ区間「CM1」の放送が開始されると、動画「M1」の再生区間「M1-1」が表示装置に出力される（Ｓ１５１〜Ｓ１６３）。
【０４７８】
時刻t73になりＣＭ区間「CM1」の放送が終了すると、第１ＣＭ検出手段１９においてＣＭ終了時が検出される（Ｓ１６４の「YES」）。
【０４７９】
第１ＣＭ検出手段１９においてＣＭ終了時が検出されるとデータ検索手段２０８を経由して第３映像音声信号処理手段２４に送出され、ＣＭ終了時が検出された時点の前後の動画「M1」の音声データが第３映像音声信号処理手段２４から音声データ解析手段２９に送出される。
【０４８０】
音声データ解析手段２９では、取得された動画「M1」の音声データから、音声データレベル（V）が解析される。
【０４８１】
図２６の下部のグラフは、解析された音声データレベルをグラフに表したものである。
【０４８２】
この解析された音声データレベルは次回再生開始位置調整手段２１１に送出され、この音声データレベルに基づいて次回再生開始位置の調整が行われる。
【０４８３】
具体的には、ＣＭ終了時の音声データレベル（V）が予め設定された閾値（Vth）を超えるときは、台詞の途中など次回の再生開始位置として適当ではない位置であると判断されてこの音声データレベルが閾値（Vth）を超えないところまで戻った位置が次回の再生開始位置として判断され、音声データレベルが予め設定された閾値（Vth）を超えないときは再生開始位置として適当であると判断されてこのＣＭ終了時の位置が次回の再生開始位置として判断され、再生位置管理手段２１０に送出される。
【０４８４】
時刻t73においては、ＣＭ終了時の音声データレベル（V）が閾値（Vth）を超えないためこのＣＭ終了時の位置が次回の再生開始位置として判断され、再生位置管理手段２１０に送出される（Ｓ１６７の「YES」）。
【０４８５】
再生位置管理手段２１０では、ＣＭ終了時の位置が次回の再生開始位置として取得されて記憶されている情報が更新され（Ｓ１６８）、さらに第１実施形態〜第７実施形態と同様に第１再生信号に切り替える処理が行われて番組「BC」の再生区間「BCPro2」が表示信号に出力される（Ｓ１５５、Ｓ１５６）。
【０４８６】
。
【０４８７】
次に、時刻t74になりＣＭ区間「CM2」の放送が開始されると、再生位置管理手段２１０に記憶された再生開始位置に従って、動画「M1」の再生区間「M1-2」が表示装置に出力される（Ｓ１５７〜Ｓ１６３）。
【０４８８】
時刻t75になりＣＭ区間「CM2」の放送が終了すると、第１ＣＭ検出手段１９においてＣＭ終了時が検出される（Ｓ１６４の「YES」）。
【０４８９】
第１ＣＭ検出手段１９においてＣＭ終了時が検出されるとデータ検索手段２０８を経由して第３映像音声信号処理手段２４に送出され、ＣＭ終了時が検出された時点の前後の動画「M1」の音声データが第３映像音声信号処理手段２４から音声データ解析手段２９に送出される。
【０４９０】
音声データ解析手段２９では取得された動画「M1」の音声データから、音声データレベル（V）が解析され、この音声データレベルに基づいて次回再生開始位置調整手段２１１において次回再生開始位置の調整が行われる。
【０４９１】
時刻t75においては、ＣＭ終了時の音声データレベル（V）が閾値（Vth）を超えているため、この音声データレベルが閾値（Vth）を超えないところまで戻った位置ｍが次回の再生開始位置として判断され、再生位置管理手段２１０に送出される（Ｓ１６７の「NO」、Ｓ１６９）。
【０４９２】
再生位置管理手段２１０では、位置ｍが次回の再生開始位置として取得され、記憶されている情報が更新され（Ｓ１６８）。
【０４９３】
以降も同様にしてステップＳ１５７〜Ｓ１６９の処理が行われることにより、図２６に示すように、放送信号のＣＭ区間「CM3」は、動画「M1」の位置ｍから始まる再再生区間（A）およびこの再生区間に続く再生区間「M1-3」のコンテンツデータに置換され、表示装置に出力される。
【０４９４】
時刻t77になりＣＭ区間「CM3」の放送が終了すると、第１ＣＭ検出手段１９においてＣＭ終了時が検出され、ＣＭ終了時が検出された時点の前後の動画「M1」の音声データから音声データレベル（V）が解析され、この音声データレベルに基づいて次回再生開始位置調整手段２１１において次回再生開始位置の調整が行われる。
【０４９５】
時刻t77においては、ＣＭ終了時の音声データレベル（V）が閾値（Vth）を超えていないが、その後しばらくの間音声データレベル（V）が閾値（Vth）を超えない区間が続くため台詞や動きが少ない場面が続いていると予測され、次に閾値（Vth）を超える位置ｍ’が次回の再生開始位置として判断され、再生位置管理手段２１０に送出される（Ｓ１６７の「NO」、Ｓ１６９）。
【０４９６】
再生位置管理手段２１０では、位置ｍが次回の再生開始位置として取得され、記憶されている情報が更新され（Ｓ１６８）。
【０４９７】
以降も同様にしてステップＳ１５７〜Ｓ１６９の処理が行われることにより、放送信号のＣＭ区間「CM4」は、区間（B）をスキップし、動画「M1」の位置ｍ’から始まる再生区間「M1-5」のコンテンツデータに置換され、表示装置に出力される。
【０４９８】
以上の本実施形態によれば、視聴している番組の複数のＣＭ区間に、予めユーザが指定した動画のコンテンツを動きの少ない場面の位置で区切って出力することにより、効率的にＣＭ区間を利用することができる。
【０４９９】
また、本実施形態による音声データ解析手段の機能を利用して、台詞のある区間のみを再生したり、音声データの解析に変えて画像データを解析することにより、字幕表示映像が出力されている区間のみを再生したりすることも可能であったり、画像解析によって画像が切替る位置を検出したり、字幕の切替り位置を検出することで、再生の開始位置を区切りの良い適切な位置からスタートさせることが可能となる。
【０５００】
である。
【０５０１】
《第９実施形態》
本発明の第９実施形態では、ユーザが視聴しているテレビジョン放送の主視聴チャンネルのＣＭ区間に、予めユーザがジャンルごとに設定した動画のコンテンツデータを出力する放送受信再生装置について説明する。
【０５０２】
〈第９実施形態による放送受信再生装置９の構成〉
本発明の第９実施形態による放送受信再生装置９の構成を、図２７を参照して説明する。
【０５０３】
本実施形態による放送受信再生装置９の構成は、制御手段２０に第２番組情報解析手段２１２を有する他は第７実施形態と同様であるため、詳細な説明は省略する。
【０５０４】
第２番組情報解析手段２１２は、第１映像音声信号処理手段から受信している放送信号に付加されている番組情報を取得して解析し、ジャンル情報を抽出してデータ検索手段２０８に送出する。
【０５０５】
また、本実施形態においては、データ蓄積手段２３には主視聴チャンネルのＣＭ区間中にＣＭデータと置換するためのデータとして動画「M1」〜「Mn」のコンテンツデータが記録されている。
【０５０６】
また、本実施形態においては、置換データ指定手段２０７に記憶されている置換データ指定情報は、（１）ジャンルＡの放送番組にはデータ蓄積手段２３内の動画「MV1」が関連付けられ、（２）ジャンルＢの放送番組にはデータ蓄積手段２３内の動画「MV2」が関連付けられ、（ｎ）ジャンルＺの放送番組にはデータ蓄積手段２３内の動画「MVn」が関連付けられているものとする。
【０５０７】
〈第９実施形態による放送受信再生装置９の動作〉
本実施形態による放送受信再生装置９の動作について、図２８のフローチャートおよび図２９の説明図を参照して説明する。
【０５０８】
図２８のフローチャートにおいて、ステップＳ１７１〜ステップＳ１７８の処理は第５実施形態のステップＳ８１〜Ｓ８８と同様であるため、詳細な説明を省略する。
【０５０９】
本実施形態においては、図２９に示すように、ユーザにより指定された主視聴チャンネルでは、再生区間「Pro1」および「Pro2」からなるジャンルＡの番組と、再生区間「Pro3」および「Pro4」からなるジャンルＢの番組と、再生区間「Pro5」からなるジャンルＡの番組との間および各再生区間の間にＣＭ放送区間であるＣＭ区間「CM1」、「CM2」、「CM3」、「CM4」、「CM5」が挿入され、再生区間「Pro1」→ＣＭ区間「CM1」→再生区間「Pro2」→ＣＭ区間「CM2」→再生区間「Pro3」→ＣＭ区間「CM3」→再生区間「Pro4」→ＣＭ区間「CM4」→再生区間「Pro5」→ＣＭ区間「CM5」の順に放送される。
【０５１０】
ＣＭ開始時が検出されなく、ステップＳ１７８において電源がOFFにされていないときは（Ｓ１７８の「NO」）、第１映像音声信号処理手段１４から受信中の放送番組の番組情報が第２番組情報解析手段２１２で取得される（Ｓ１７９）。
【０５１１】
第２番組情報解析手段２１２では、取得された番組情報から受信中の放送番組のジャンル情報が抽出され、データ検索手段２０８に送出される（Ｓ１８０）。
【０５１２】
ここでは、時刻t80から受信が開始された再生区間「Pro１」の番組情報から、ジャンルＡが抽出されている。
【０５１３】
データ検索手段２０８では、抽出されたジャンルに関連付けられたンテンツの情報が、次のＣＭ区間で出力するコンテンツデータの情報として、置換データ指定手段２０７から置換データ指定情報が取得される（Ｓ１８１）。
【０５１４】
ここでは、（１）ジャンルＡに関連付けられたコンテンツの情報として、動画「MV1」の情報が取得される。
【０５１５】
データ検索手段２０８においてジャンルＡに関連付けられたコンテンツの情報として動画「MV1」の情報が取得されると、この動画「MV1」のコンテンツデータがデータ蓄積手段２３から取得される（Ｓ１８２）。
【０５１６】
動画「MV1」のコンテンツデータが取得されるとステップＳ１７７に戻り、ＣＭ開始時が検出されたか監視が行われる。
【０５１７】
時刻t81になり、ステップＳ１７７において第１ＣＭ検出手段１９でＣＭ開始時が検出されると、チャンネル制御手段２０２およびデータ検索手段２０８に送出される（Ｓ１７７の「YES」）。
【０５１８】
データ検索手段２０８では、ＣＭ開始時が取得されると、ステップＳ１８２で取得された動画「MV1」のコンテンツデータの最初の再生区間「MV1-1」が第３映像音声信号処理手段２４に送出される。
【０５１９】
第３映像音声信号処理手段２４では、動画「MV1」の再生区間「MV1-1」のコンテンツデータが取得されると、再生するための第３再生信号が生成される（Ｓ１８３）。
【０５２０】
また、チャンネル制御手段２０２では、放送信号のＣＭ開始時が取得されると、信号切替手段１６で選択される再生信号を第１再生信号から第３再生信号に切り替えるための信号切替要求が生成され、信号切替手段１６に送出される。
【０５２１】
信号切替手段１６では、信号切替要求が取得されると、選択する再生信号が第１再生信号から第３再生信号に切り替えられ、この第３再生信号が出力手段１７に送出される（Ｓ１８４）。
【０５２２】
出力手段１７では取得された動画「MV1」の再生区間「MV1-1」の第３再生信号が表示信号に変換され、外部の表示装置に送信される（Ｓ１８４）。
【０５２３】
以上のように時刻t81においてステップＳ１７７、Ｓ１８３、Ｓ１８４の処理が行われることにより、データ蓄積手段２３に記憶されている動画「MV1」の再生区間「MV1-1」が表示装置に出力される。
【０５２４】
以降も同様にして、ジャンルＡの再生区間「Pro2」のＣＭ区間「CM2」においては動画「MV1」の再生区間「MV1-2」が出力され、ジャンルＢの再生区間「Pro3」のＣＭ区間「CM3」においては動画「MV2」の再生区間「MV2-1」が出力され、ジャンルＢの再生区間「Pro4」のＣＭ区間「CM4」においては動画「MV2」の再生区間「MV2-2」が出力され、ジャンルＡの再生区間「Pro5」のＣＭ区間「CM5」においては動画「MV1」の再生区間「MV1-3」が出力される。
【０５２５】
以上の本実施形態によれば、視聴している番組のＣＭ区間に、予めユーザが指定したジャンルに関連付けられた動画のコンテンツを出力することにより、効率的にＣＭ区間を利用することができる。
【０５２６】
本実施形態において、主視聴チャンネルの放送番組のＣＭ区間に置換する動画コンテンツとして、ユーザの好みのＣＭのコンテンツデータや、主視聴チャンネルで視聴している放送番組に関連した動画コンテンツ、または主視聴チャンネルで視聴している放送番組のスポンサーの他の商品のＣＭのコンテンツデータを予め蓄積しておき、これらが置換データ指定情報に従って出力されるようにしてもよい。
【０５２７】
なお、上述した第１実施形態〜第９実施形態の動作の説明は、処理の動作をわかりやすくするためにステップ化したものであって実際の処理タイミングを示すものではなく、例えば放送信号のＣＭ区間に置換するデータを読み出したり処理したりするタイミングは、処理時間を考慮してＣＭ開始時の検出以前に準備しておくことが望ましい。
【０５２８】
また、上述した第１実施形態〜第９実施形態の構成においては、第１映像音声信号処理手段と第２映像音声信号処理手段、第１ＣＭ検出と第２ＣＭ検出手段などを別々の機能ブロックとして記載したが、機器の処理能力が高ければ、１つの映像音声信号処理手段、１つのＣＭ検出手段で実現することも可能である。
【０５２９】
また、上述した第１実施形態〜第９実施形態の構成においては、受信中の放送番組に挿入されているＣＭ区間を有効利用する場合について説明したが、録画しておいた放送番組のＣＭ区間に対しても同様の処理を行って有効利用するようにしてもよい。
【図面の簡単な説明】
【０５３０】
【図１】本発明の第１実施形態による放送受信再生装置の構成を示すブロック図である。
【図２】本発明の第１実施形態による放送受信再生装置の動作を示すフローチャートである。
【図３】本発明の第１実施形態による放送受信再生装置において受信する放送データと出力する出力データを示す説明図である。
【図４】本発明の第２実施形態による放送受信再生装置の構成を示すブロック図である。
【図５】本発明の第２実施形態による放送受信再生装置で記憶されている裏チャンネル指定情報の一例を示す表である。
【図６】本発明の第２実施形態による放送受信再生装置の動作を示すフローチャートである。
【図７】本発明の第２実施形態による放送受信再生装置において受信する放送データと出力する出力データを示す説明図である。
【図８】本発明の第３実施形態による放送受信再生装置の構成を示すブロック図である。
【図９】本発明の第３実施形態による放送受信再生装置で記憶されている裏チャンネル指定情報の一例を示す表である。
【図１０】本発明の第３実施形態による放送受信再生装置の動作を示すフローチャートである。
【図１１】本発明の第３実施形態による放送受信再生装置において受信する放送データと出力する出力データを示す説明図である。
【図１２】本発明の第４実施形態による放送受信再生装置の構成を示すブロック図である。
【図１３】本発明の第４実施形態による放送受信再生装置の動作を示すフローチャートである。
【図１４】本発明の第４実施形態による放送受信再生装置において受信する放送データと出力する出力データを示す説明図である。
【図１５】本発明の第５実施形態による放送受信再生装置の構成を示すブロック図である。
【図１６】本発明の第５実施形態による放送受信再生装置の動作を示すフローチャートである。
【図１７】本発明の第５実施形態による放送受信再生装置において受信する放送データと出力する出力データを示す説明図である。
【図１８】本発明の第６実施形態による放送受信再生装置の構成を示すブロック図である。
【図１９】本発明の第６実施形態による放送受信再生装置の動作を示すフローチャートである。
【図２０】本発明の第６実施形態による放送受信再生装置において受信する放送データと出力する出力データを示す説明図である。
【図２１】本発明の第７実施形態による放送受信再生装置の構成を示すブロック図である。
【図２２】本発明の第７実施形態による放送受信再生装置の動作を示すフローチャートである。
【図２３】本発明の第７実施形態による放送受信再生装置において受信する放送データと出力する出力データを示す説明図である。
【図２４】本発明の第８実施形態による放送受信再生装置の構成を示すブロック図である。
【図２５】本発明の第８実施形態による放送受信再生装置の動作を示すフローチャートである。
【図２６】本発明の第８実施形態による放送受信再生装置において受信する放送データと出力する出力データを示す説明図である。
【図２７】本発明の第９実施形態による放送受信再生装置の構成を示すブロック図である。
【図２８】本発明の第９実施形態による放送受信再生装置の動作を示すフローチャートである。
【図２９】本発明の第９実施形態による放送受信再生装置において受信する放送データと出力する出力データを示す説明図である。
【符号の説明】
【０５３１】
１…放送受信再生装置
２…放送受信再生装置
３…放送受信再生装置
４…放送受信再生装置
５…放送受信再生装置
６…放送受信再生装置
７…放送受信再生装置
８…放送受信再生装置
９…放送受信再生装置
１１…アンテナ
１２…第１放送選局手段
１３…第２放送選局手段
１４…第１映像音声信号処理手段
１５…第２映像音声信号処理手段
１６…信号切替手段
１７…出力手段
１８…ユーザ制御手段
１９…第１ＣＭ検出手段
２０…制御手段
２１…表示手段
２２…第２ＣＭ検出手段
２３…データ蓄積手段
２４…第３映像音声信号処理手段
２５…画像解析手段
２６…データ再整形手段
２７…第３ＣＭ検出手段
２８…第３再生信号編集手段
２９…音声データ解析手段
２０１…チャンネル切替タイミング管理手段
２０２…チャンネル制御手段
２０３…裏チャンネル指定管理手段
２０４…時刻情報取得手段
２０５…第１番組情報解析手段
２０６…裏チャンネル切替順管理手段
２０６…視聴履歴管理手段
２０７…置換データ指定手段
２０８…データ検索手段
２０９…データ表示時間管理手段
２１０…再生位置管理手段
２１１…次回再生開始位置調整手段
２１２…第２番組情報解析手段
【図１】
2008103920.tif 000003
【図２】
2008103920.tif 000004
【図３】
2008103920.tif 000005
【図４】
2008103920.tif 000006
【図５】
2008103920.tif 000007
【図６】
2008103920.tif 000008
【図７】
2008103920.tif 000009
【図８】
2008103920.tif 000010
【図９】
2008103920.tif 000011
【図１０】
2008103920.tif 000012
【図１１】
2008103920.tif 000013
【図１２】
2008103920.tif 000014
【図１３】
2008103920.tif 000015
【図１４】
2008103920.tif 000016
【図１５】
2008103920.tif 000017
【図１６】
2008103920.tif 000018
【図１７】
2008103920.tif 000019
【図１８】
2008103920.tif 000020
【図１９】
2008103920.tif 000021
【図２０】
2008103920.tif 000022
【図２１】
2008103920.tif 000023
【図２２】
2008103920.tif 000024
【図２３】
2008103920.tif 000025
【図２４】
2008103920.tif 000026
【図２５】
2008103920.tif 000027
【図２６】
2008103920.tif 000028
【図２７】
2008103920.tif 000029
【図２８】
2008103920.tif 000030
【図２９】
2008103920.tif 000031